(57)【要約】患者端末が医師端末と接続されていない場合でも患者の容態の急変等に対応でき、医師の負担を増大することなく病気に対する不安や孤独感を解消可能とし、実際に病院に行ったときに近い環境で在宅診察サービスを提供する。受付サーバ（１１０）、通信サーバ（１２０）、メールサーバ（１３０）、運営管理サーバ（１４０）、医師端末（１６１、…）、ナース端末（１８０）、待合室端末（１７５）、受付端末（１７０）、薬局端末（１９０）を備えた在宅診察システム（１００）を通信回線（２００）を介して患者端末（３０１、…）と接続してテレビ電話による在宅診察サービスを提供する。通信サーバ（１２０）には接続先テーブル（１２２）を備え、仮想の診察室、仮想の待合室、仮想の看護室、仮想の個別対話室等の目的に応じた接続形態を提供する。患者端末にはナースコールボタン（ｇ）、診察センサ（ｈ）を備え、容態急変等の場合にナース端末を呼出せ、患者のバイタル等を遠隔で看視できる。
2004092991.tif 000002
【特許請求の範囲】
【請求項１】
テレビ電話機能を有する患者端末とテレビ電話機能を有する医師端末とを通信回線を介して接続して在宅診察サービスを提供するシステムであって、
前記患者端末からの診察要求を受付ける受付サーバと、
前記診察要求を受付けられた患者端末と前記医師端末とを接続して、映像及び音声による双方向の通信機能を提供する通信サーバとを備え、
前記通信サーバは、前記患者端末間で映像及び音声による対話サービスを提供する仮想の待合室を設定する機能を有し、
前記受付サーバは、前記診察要求を受付けられた患者端末を前記設定された仮想の待合室に接続する機能を有することを特徴とする、在宅診察システム。
【請求項２】
前記通信サーバは、病院の待合室に備えられたテレビ電話機能を有する待合室端末を前記設定された仮想の待合室に接続する機能を有することを特徴とする、請求項１に記載の在宅診察システム。
【請求項３】
前記受付サーバは、前記仮想の待合室に接続されている呼出元の端末においてポインティングデバイスにより指定された画面上の位置から前記仮想の待合室に接続されている呼出先の端末を選択する機能を有し、
前記通信サーバは、前記呼出元の端末と前記呼出先の端末とを個別に接続して映像及び音声による対話サービスを提供する機能を有することを特徴とする、請求項１または請求項２に記載の在宅診察システム。
【請求項４】
前記受付サーバは、前記患者端末からのナースコールを受付けてテレビ電話機能を有するナース端末に通知する機能を有し、
前記通信サーバは、前記ナースコールを受付けられた患者端末と前記通知されたナース端末とを接続して映像及び音声による対話サービスを提供する機能を有することを特徴とする、請求項１ないし請求項３のいずれかに記載の在宅診察システム。
【請求項５】
前記患者端末は、前記受付サーバに対してナースコールを発信するナースコールボタンを備え、前記ナースコールボタンが押されたときに前記受付サーバに対して自動的にログインしてナースコールを発信する機能を有するものであることを特徴とする、請求項４に記載の在宅診察システム。
【請求項６】
前記通信サーバは、要看護者が使用する患者端末が接続される仮想の看護室を設定する機能を有し、
前記受付サーバは、前記患者端末または前記医師端末または前記ナース端末からの要求により前記要看護者が使用する患者端末を前記仮想の看護室に接続する機能を有し、
前記通信サーバは、前記医師端末および／または前記ナース端末からの要求により前記仮想の看護室に接続された各患者端末の映像及び音声を前記医師端末および／または前記ナース端末に送信する機能を有することを特徴とする、請求項４または請求項５に記載の在宅診察システム。
【請求項７】
前記受付サーバは、前記医師端末および／または前記ナース端末においてポインティングデバイスにより指定された画面上の位置から前記仮想の看護室に接続されている患者端末を選択する機能を有し、
前記通信サーバは、前記医師端末および／または前記ナース端末と前記選択された患者端末とを個別に接続して映像及び音声による対話サービスを提供する機能を有することを特徴とする、請求項６に記載の在宅診察システム。
【請求項８】
前記患者端末は、患者の診察に必要な情報を収集する診察センサを備え、前記診察センサの情報を取得して前記通信サーバに送信する機能を有するものであって、
前記通信サーバは、前記送信された診察センサの情報を受信して前記医師端末および／または前記ナース端末に送信する機能を有し、
前記医師端末および／または前記ナース端末は、前記送信された診察センサの情報を受信して表示する機能を有することを特徴とする、請求項６または請求項７に記載の在宅診察システム。
【請求項９】
前記患者端末は、前記診察センサの信号の一部又は全部を音声信号として送信する機能を有するものであることを特徴とする、請求項８に記載の在宅診察システム。
【請求項１０】
テレビ電話機能を有する患者端末とテレビ電話機能を有する医師端末とを通信回線を介して接続して在宅診察サービスを提供するシステムであって、
前記患者端末からの診察要求を受付ける受付サーバと、
前記診察要求を受付けられた患者端末と前記医師端末とを接続して、映像及び音声による双方向の通信機能を提供する通信サーバとを備え、
前記通信サーバは、要看護者が使用する前記患者端末が接続される仮想の看護室を設定する機能を有し、
前記受付サーバは、前記患者端末または前記医師端末またはテレビ電話機能を有するナース端末からの要求により前記要看護者が使用する患者端末を前記仮想の看護室に接続する機能を有し、
前記通信サーバは、前記医師端末および／または前記ナース端末からの要求により前記仮想の看護室に接続されている各患者端末の映像及び音声を前記医師端末および／または前記ナース端末に送信する機能を有し、
前記医師端末および／または前記ナース端末は、前記送信された前記仮想の看護室に接続されている各患者端末の映像を表示する機能を有するものであることを特徴とする、在宅診察システム。
【請求項１１】
前記受付サーバは、前記医師端末および／または前記ナース端末においてポインティングデバイスにより指定された画面上の位置から前記仮想の看護室に接続されている患者端末を選択する機能を有し、
前記通信サーバは、前記医師端末および／または前記ナース端末と前記選択された患者端末とを個別に接続して映像及び音声による対話サービスを提供する機能を有することを特徴とする、請求項１０に記載の在宅診察システム。
【請求項１２】
前記受付サーバは、前記患者端末からのナースコールを受付けて前記ナース端末に通知する機能を有し、
前記通信サーバは、前記ナースコールを受付けられた患者端末と前記通知されたナース端末とを接続して映像及び音声による対話サービスを提供する機能を有することを特徴とする、請求項１０または請求項１１に記載の在宅診察システム。
【請求項１３】
前記患者端末は、前記受付サーバに対してナースコールを発信するナースコールボタンを備え、前記ナースコールボタンが押されたときに前記受付サーバに対して自動的にログインしてナースコールを発信する機能を有するものであることを特徴とする、請求項１２に記載の在宅診察システム。
【請求項１４】
前記患者端末は、患者の診察に必要な情報を収集する診察センサを備え、前記診察センサの情報を取得して前記通信サーバに送信する機能を有するものであって、
前記通信サーバは、前記送信された診察センサの情報を受信して前記医師端末および／または前記ナース端末に送信する機能を有し、
前記医師端末および／または前記ナース端末は、前記送信された診察センサの情報を受信して表示する機能を有するものであることを特徴とする、請求項１０ないし請求項１３のいずれかに記載の在宅診察システム。
【請求項１５】
前記患者端末は、前記診察センサの信号の一部又は全部を音声信号として送信する機能を有するものであることを特徴とする、請求項１４に記載の在宅診察システム。
【請求項１６】
テレビ電話機能を有する患者端末とテレビ電話機能を有する医師端末とを通信回線を介して接続して在宅診察サービスを提供するシステムであって、
前記患者端末からの診察要求を受付ける受付サーバと、
前記診察要求を受付けられた患者端末と前記医師端末とを接続して、映像及び音声による双方向の通信機能を提供する通信サーバとを備え、
前記受付サーバは、前記患者端末からのナースコールを受付けてテレビ電話機能を有するナース端末に通知する機能を有し、
前記通信サーバは、前記ナースコールを受付けられた患者端末と前記通知されたナース端末とを接続して映像及び音声による対話サービスを提供する機能を有することを特徴とする、在宅診察システム。
【請求項１７】
前記患者端末は、前記受付サーバに対してナースコールを発信するナースコールボタンを備え、前記ナースコールボタンが押されたときに前記受付サーバに対して自動的にログインしてナースコールを発信する機能を有するものであることを特徴とする、請求項１６に記載の在宅診察システム。
【請求項１８】
前記受付サーバは、前記患者端末から投薬の要求を受付ける機能と、前記投薬の要求を受付けられた患者の担当医が使用する医師端末に対して投薬確認を問合せる機能と、前記問合せに対して前記医師端末が発行する処方箋を薬剤の宅配サービスを行う薬局が使用する薬局端末に配信する機能とを有することを特徴とする、請求項１ないし請求項１７のいずれかに記載の在宅診察システム。
【請求項１９】
前記受付サーバは、前記患者端末から相談の要求を受付ける機能と、前記相談の要求を受付けられた患者端末から相談文を受信する機能と、前記受信された相談文を担当医の前記医師端末に送信する機能と、前記送信された相談文に対する前記医師端末からの回答文を受信する機能と、前記受信された回答文を前記相談の要求を受付けられた患者端末に送信する機能とを有することを特徴とする、請求項１ないし請求項１８のいずれかに記載の在宅診察システム。
【請求項２０】
前記受付サーバは、前記患者端末から通院の予約を受付ける機能を有することを特徴とする、請求項１ないし請求項１９のいずれかに記載の在宅診察システム。
【請求項２１】
テレビ電話機能を有する患者端末とテレビ電話機能を有する医師端末とを通信回線を介して接続して在宅診察サービスを提供する方法であって、
前記患者端末からの診察要求を受付けるステップと、
前記診察要求を受付けられた患者端末と前記医師端末とを接続して、映像及び音声による双方向の通信機能を提供するステップとを備え、
前記映像及び音声の双方向の通信を行うステップは、前記受付けられた患者端末間で映像及び音声による対話サービスを提供する仮想の待合室を設定するステップを有し、
前記診察要求を受付けるステップは、前記診察要求を受付けられた患者端末を前記設定された仮想の待合室に接続するステップを有することを特徴とする、在宅診察方法。
【請求項２２】
前記映像及び音声の双方向の通信を行うステップは、病院の待合室に備えられ、テレビ電話機能を有する待合室端末を前記設定された仮想の待合室に接続するステップを有することを特徴とする、請求項２１に記載の在宅診察方法。
【請求項２３】
前記診察要求を受付けるステップは、前記仮想の待合室に接続されている呼出元の端末においてポインティングデバイスにより指定された画面上の位置から前記仮想の待合室に接続されている呼出先の端末を選択するステップを有し、
前記映像及び音声の双方向の通信を行うステップは、前記呼出元の端末と前記呼出先の端末とを個別に接続して映像及び音声による対話サービスを提供するステップを有することを特徴とする、請求項２１または請求項２２に記載の在宅診察方法。
【請求項２４】
前記診察要求を受付けるステップは、前記患者端末からのナースコールを受付けてテレビ電話機能を有するナース端末に通知するステップを有し、
前記映像及び音声の双方向の通信を行うステップは、前記ナースコールを受付けられた患者端末と前記通知されたナース端末とを接続して映像及び音声による対話サービスを提供するステップを有することを特徴とする、請求項２１ないし請求項２３のいずれかに記載の在宅診察方法。
【請求項２５】
前記映像及び音声の双方向の通信を行うステップは、要看護者が使用する前記患者端末が接続される仮想の看護室を設定するステップを有し、
前記診察要求を受付けるステップは、前記患者端末または前記医師端末または前記ナース端末からの要求により前記要看護者が使用する患者端末を前記仮想の看護室に接続するステップを有し、
前記映像及び音声の双方向の通信を行うステップは、前記医師端末および／または前記ナース端末からの要求により前記仮想の看護室に接続されている各患者端末の映像及び音声を前記医師端末および／または前記ナース端末に送信するステップを有することを特徴とする、請求項２４に記載の在宅診察方法。
【請求項２６】
前記診察要求を受付けるステップは、前記医師端末および／または前記ナース端末においてポインティングデバイスにより指定された画面上の位置から前記仮想の看護室に接続されている患者端末を選択するステップを有し、
前記映像及び音声の双方向の通信を行うステップは、前記医師端末および／または前記ナース端末と前記選択された患者端末とを個別に接続して映像及び音声による対話サービスを提供するステップを有することを特徴とする、請求項２５に記載の在宅診察方法。
【請求項２７】
前記映像及び音声の双方向の通信を行うステップは、前記患者端末に備えられた診察センサにより取得された情報を受信して前記医師端末および／または前記ナース端末に送信するステップを有することを特徴とする、請求項２５または請求項２６に記載の在宅診察方法。
【請求項２８】
テレビ電話機能を有する患者端末とテレビ電話機能を有する医師端末とを通信回線を介して接続して在宅診察サービスを提供する方法であって、
前記患者端末からの診察要求を受付けるステップと、
前記診察要求を受付けられた患者端末と前記医師端末とを接続して、映像及び音声による双方向の通信機能を提供するステップとを備え、
前記映像及び音声の双方向の通信を行うステップは、要看護者が使用する前記患者端末が接続される仮想の看護室を設定するステップを有し、
前記診察要求を受付けるステップは、前記患者端末または前記医師端末またはテレビ電話機能を有するナース端末からの要求により前記要看護者が使用する患者端末を前記仮想の看護室に接続するステップを有し、
前記映像及び音声の双方向の通信を行うステップは、前記医師端末および／または前記ナース端末からの要求により前記仮想の看護室に接続されている各患者端末の映像及び音声を前記医師端末および／または前記ナース端末に送信するステップを有することを特徴とする、在宅診察方法。
【請求項２９】
前記診察要求を受付けるステップは、前記医師端末および／または前記ナース端末においてポインティングデバイスにより指定された画面上の位置から前記仮想の看護室に接続されている患者端末を選択するステップを有し、
前記映像及び音声の双方向の通信を行うステップは、前記医師端末および／または前記ナース端末と前記選択された患者端末とを個別に接続して映像及び音声による対話サービスを提供するステップを有することを特徴とする、請求項２８に記載の在宅診察方法。
【請求項３０】
前記診察要求を受付けるステップは、前記患者端末からのナースコールを受付けて前記ナース端末に通知するステップを有し、
前記映像及び音声の双方向の通信を行うステップは、前記ナースコールを受付けられた患者端末と前記通知されたナース端末とを接続して映像及び音声による対話サービスを提供するステップを有することを特徴とする、請求項２８または請求項２９に記載の在宅診察方法。
【請求項３１】
前記映像及び音声の双方向の通信を行うステップは、前記患者端末に備えられた診察センサにより取得された情報を受信して前記医師端末および／または前記ナース端末に送信するステップを有することを特徴とする、請求項２８ないし請求項３０のいずれかに記載の在宅診察方法。
【請求項３２】
テレビ電話機能を有する患者端末とテレビ電話機能を有する医師端末とを通信回線を介して接続して在宅診察サービスを提供する方法であって、
前記患者端末からの診察要求を受付けるステップと、
前記診察要求を受付けられた患者端末と前記医師端末とを接続して、映像及び音声による双方向の通信機能を提供するステップとを備え、
前記診察要求を受付けるステップは、前記患者端末からのナースコールを受付けてテレビ電話機能を有するナース端末に通知するステップを有し、
前記映像及び音声の双方向の通信を行うステップは、前記ナースコールを受付けられた患者端末と前記通知されたナース端末とを接続して映像及び音声による対話サービスを提供するステップを有することを特徴とする、在宅診察方法。
【請求項３３】
前記診察要求を受付けるステップは、前記患者端末から投薬の要求を受付けるステップと、前記投薬の要求を受付けられた患者の担当医が使用する医師端末に対して投薬確認を問合せるステップと、前記問合せに対して前記医師端末が発行する処方箋を薬剤の宅配サービスを行う薬局が使用する薬局端末に配信するステップとを有することを特徴とする、請求項２１ないし請求項３２のいずれかに記載の在宅診察方法。
【請求項３４】
前記診察要求を受付けるステップは、前記患者端末から相談の要求を受付けるステップと、前記相談の要求を受付けられた患者端末から相談文を受信するステップと、前記受信された相談文を担当医の前記医師端末に送信するステップと、前記送信された相談文に対する前記医師端末からの回答文を受信するステップと、前記受信された回答文を前記相談の要求を受付けられた患者端末に送信するステップとを有することを特徴とする、請求項２１ないし請求項３３のいずれかに記載の在宅診察方法。
【請求項３５】
前記診察要求を受付けるステップは、前記患者端末から通院の予約を受付けるステップを有することを特徴とする、請求項２１ないし請求項３４のいずれかに記載の在宅診察方法。
【請求項３６】
請求項２１ないし請求項３５のいずれかに記載の在宅診察方法をコンピュータで実行させるための、在宅診察プログラム。
【発明の詳細な説明】
【技術分野】  本願発明は、患者がテレビ電話を用いて在宅で医師の診察を受けることができる在宅診察システムに関する。
【背景技術】  近年、通信技術の発達により、遠隔地にいる人同士がテレビ電話を用いて実用的レベルで対話できるようになってきており、医療分野においても、患者がテレビ電話を用いて遠隔地の医師の端末と接続することで、在宅で診察サービスを受けることができるようにした在宅診察システムの実用化が始まっている。
従来、このような在宅診察システムとして、例えば特開平１１−８９８０２号公報に開示されているように、医師端末と患者端末とをデジタル通信回線網を介して互いに接続可能とし、医師端末と患者端末の間でテレビ電話を用いて対話することで、患者が在宅で医師の診察を受けることができるものがあった。また、本システムでは患者端末に患者の体温、心拍数、血圧等を計測するセンサが接続されており、患者がこれらのセンサを装着することで、各センサの計測値が医師端末に表示され、医師はこれらの情報と患者の表情・仕草をもとに患者を適切に診断することができるという効果を得ている。
このような在宅診察システムにより、患者は自宅に居ながらにして医師の診察を受けることができるので、無医村や外国等の遠隔地に居住する人や、病弱者や寝たきり老人に対しても簡便に医療サービスを提供することが可能である。
また、このような在宅診察システムの普及により、患者は診察を受ける自由度が飛躍的に拡大するので、近年問題になっている小児患者等のたらい回しによる事故の防止等にも寄与する。
しかしながら、かかる従来の在宅診察システムでは、患者端末は医師の診察を受けるとき以外は医師端末と切断状態にあり、患者は医師端末から診察のためのアクセスがあるまでじっと待機していなければならず、その間に患者の容態が急変しても対応できないという問題があった。
また、実際に病院に行けば待合室にいる患者同士でお互いに声をかけあって情報交換したり、ナースに相談したりすることで病気に対する不安や孤独感を解消することができるが、在宅診察では医師端末と接続して対話する以外は、患者同士で情報交換したり、ナースに相談したりするこができず、病気に対する不安や孤独感を抱えながら日々を過ごさなければならないという問題があった。
このようなことは、特に１人暮しの老人や寝たきりの患者にとっては深刻な問題であった。
それゆえに、本願発明の主たる目的は、患者端末が医師端末と接続されていない場合でも患者の容態の急変等に対応でき、医師の負担を増大することなく病気に対する不安や孤独感を解消可能とし、実際に病院に行ったときに近い環境で在宅診察サービスを提供できるようにすることである。
【発明の開示】
請求項１に記載の在宅診察システムは、テレビ電話機能を有する患者端末とテレビ電話機能を有する医師端末とを通信回線を介して接続して在宅診察サービスを提供するシステムであって、患者端末からの診察要求を受付ける受付サーバと、診察要求を受付けられた患者端末と医師端末とを接続して、映像及び音声による双方向の通信機能を提供する通信サーバとを備え、通信サーバは患者端末間で映像及び音声による対話サービスを提供する仮想の待合室を設定する機能を有し、受付サーバは診察要求を受付けられた患者端末を設定された仮想の待合室に接続する機能を有するものである。
これにより、受付サーバは診察要求を受付けられた患者端末を通信サーバに設定された仮想の待合室に接続し、通信サーバは仮想の待合室に接続された患者端末相互間でテレビ電話による対話サービスを提供するので、患者端末が医師端末と接続されて医師による診察を受けるまでの間に患者に容態の急変等があっても仮想の待合室に接続中の他の患者のアシストを受けることができ、仮想の待合室に接続中の患者同士が情報交換することで病気に対する不安や孤独感を解消することができ、実際に病院に行ったときに近い環境で在宅診察サービスを提供できる。
請求項２に記載の在宅診察システムは、請求項１に記載の在宅診察システムであって、通信サーバは病院の待合室に備えられたテレビ電話機能を有する待合室端末を設定された仮想の待合室に接続する機能を有するものである。
これにより、通信サーバは仮想の待合室に接続された患者端末と病院の待合室に備えられた待合室端末との間でテレビ電話による対話サービスを提供するので、患者端末が医師端末と接続されて医師による診察を受けるまでの間に患者に容態の急変等があっても病院の待合室にいる患者等のアシストを受けることができ、患者は病院の待合室にいる患者等と情報交換することで病気に対する不安や孤独感を解消することができ、より実際に病院に行ったときに近い環境で在宅診察サービスを提供できる。
請求項３に記載の在宅診察システムは、請求項１または請求項２に記載の在宅診察システムであって、受付サーバは送信された仮想の待合室に接続されている呼出元の端末においてポインティングデバイスにより指定された画面上の位置から仮想の待合室に接続されている呼出先の端末を選択する機能を有し、通信サーバは呼出元の端末と呼出先の端末とを個別に接続して映像及び音声による対話サービスを提供する機能を有するものである。
これにより、受付サーバは呼出元の端末においてポインティングデバイスにより指定された呼出先の患者端末を選択し、通信サーバは呼出元の端末と呼出先の端末との間でテレビ電話による個別対話サービスを提供するので、特定の患者とプライベートな相談を行うことも可能となり、より実際に病院に行ったときに近い環境で在宅診察サービスを提供できる。
請求項４に記載の在宅診察システムは、請求項１ないし請求項３のいずれかに記載の在宅診察システムであって、受付サーバは患者端末からのナースコールを受付けてテレビ電話機能を有するナース端末に通知する機能を有し、通信サーバはナースコールを受付けられた患者端末と通知されたナース端末とを接続して映像及び音声による対話サービスを提供する機能を有するものである。
これにより、受付サーバは患者端末からのナースコールを受付けてナース端末に通知し、通信サーバはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
請求項５に記載の在宅診察システムは、請求項４に記載の在宅診察システムであって、患者端末は受付サーバに対してナースコールを発信するナースコールボタンを備え、ナースコールボタンが押されたときに受付サーバに対して自動的にログインしてナースコールを発信する機能を有するものである。
これにより、患者端末に備えられたナースコールボタンを押すことで受付サーバに自動的にログインできるので、ログイン前に容態の急変があった場合でもログイン手続を経ることなくナース端末を呼出すことができ、緊急の場合でも迅速に在宅診察サービスを提供できる。
請求項６に記載の在宅診察システムは、請求項４または請求項５に記載の在宅診察システムであって、通信サーバは要看護者が使用する患者端末が接続される仮想の看護室を設定する機能を有し、受付サーバは患者端末または医師端末またはナース端末からの要求により要看護者が使用する患者端末を仮想の看護室に接続する機能を有し、通信サーバは、医師端末および／またはナース端末からの要求により仮想の看護室に接続されている各患者端末の映像及び音声を医師端末および／またはナース端末に送信する機能を有するものである。
これにより、受付サーバは患者端末または医師端末またはナース端末からの要求により要看護者の患者端末を通信サーバにより設定された仮想の看護室に接続し、通信サーバは医師端末および／またはナース端末からの要求により仮想の看護室に接続されている各患者端末の映像及び音声を送信するので、例えば容態の急変等を看視する必要のある在宅患者を医師端末および／またはナース端末から定期的に見廻ることができ、より実際に病院に入院したときに近い環境で在宅診察サービスを提供できる。
請求項７に記載の在宅診察システムは、請求項６に記載の在宅診察システムであって、受付サーバは医師端末および／またはナース端末においてポインティングデバイスにより指定された画面上の位置から仮想の看護室に接続されている患者端末を選択する機能を有し、通信サーバは医師端末および／またはナース端末と選択された患者端末とを個別に接続して映像及び音声による対話サービスを提供する機能を有するものである。
これにより、受付サーバは医師および／またはナースは端末においてポインティングデバイスにより指定された患者端末を選択し、通信サーバは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
請求項８に記載の在宅診察システムは、請求項６または請求項７に記載の在宅診察システムであって、患者端末は患者の診察に必要な情報を収集する診察センサを備え、診察センサの情報を取得して通信サーバに送信する機能を有するものであって、通信サーバは送信された診察センサの情報を受信して医師端末および／またはナース端末に送信する機能を有し、医師端末および／またはナース端末は送信された診察センサの情報を受信して表示する機能を有するものである。
これにより、医師端末および／またはナース端末において患者端末に備えられた診察センサの情報を確認できるので、在宅患者の病状をより的確に把握でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
請求項９に記載の在宅診察システムは、請求項８に記載の在宅診察システムであって、患者端末は診察センサの信号の一部又は全部を音声信号として送信する機能を有するものである。
これにより、例えば聴診器のように医師等がセンサで抽出された音を直接耳で聞くことにより診察するセンサについては、センサ信号を患者端末からテレビ電話の音声信号として送信することで、医師端末においてセンサ信号を通話用のヘッドセット等により直接聞くことができ、より実際に病院に行ったときに近い環境で在宅診察サービスを提供できる。
請求項１０に記載の在宅診察システムは、テレビ電話機能を有する患者端末とテレビ電話機能を有する医師端末とを通信回線を介して接続して在宅診察サービスを提供するシステムであって、患者端末からの診察要求を受付ける受付サーバと、診察要求を受付けられた患者端末と医師端末とを接続して、映像及び音声による双方向の通信機能を提供する通信サーバとを備え、通信サーバは要看護者が使用する患者端末が接続される仮想の看護室を設定する機能を有し、受付サーバは患者端末または医師端末またはテレビ電話機能を有するナース端末からの要求により要看護者が使用する患者端末を仮想の看護室に接続する機能を有し、通信サーバは医師端末および／またはナース端末からの要求により仮想の看護室に接続されている各患者端末の映像及び音声を医師端末および／またはナース端末に送信する機能を有するものである。
これにより、受付サーバは患者端末または医師端末またはナース端末からの要求により要看護者の患者端末を通信サーバにより設定された仮想の看護室に接続し、通信サーバは医師端末および／またはナース端末からの要求により仮想の看護室に接続されている各患者端末の映像及び音声を送信するので、例えば容態の急変等を看視する必要のある在宅患者を医師端末および／またはナース端末から定期的に見廻ることができ、実際に病院に入院したときに近い環境で在宅診察サービスを提供できる。
請求項１１に記載の在宅診察システムは、請求項１０に記載の在宅診察システムであって、受付サーバは医師端末および／またはナース端末においてポインティングデバイスにより指定された画面上の位置から仮想の看護室に接続されている患者端末を選択する機能を有し、通信サーバは医師端末および／またはナース端末と選択された患者端末とを個別に接続して映像及び音声による対話サービスを提供する機能を有するものである。
これにより、受付サーバは医師および／またはナースは端末においてポインティングデバイスにより指定された患者端末を選択し、通信サーバは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
請求項１２に記載の在宅診察システムは、請求項１０または請求項１１に記載の在宅診察システムであって、受付サーバは患者端末からのナースコールを受付けてナース端末に通知する機能を有し、通信サーバはナースコールを受付けられた患者端末と通知されたナース端末とを接続して映像及び音声による対話サービスを提供する機能を有するものである。
これにより、受付サーバは患者端末からのナースコールを受付けてナース端末に通知し、通信サーバはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
請求項１３に記載の在宅診察システムは、請求項１２に記載の在宅診察システムであって、患者端末は受付サーバに対してナースコールを発信するナースコールボタンを備え、ナースコールボタンが押されたときに受付サーバに対して自動的にログインしてナースコールを発信する機能を有するものである。
これにより、患者端末に備えられたナースコールボタンを押すことで受付サーバに自動的にログインできるので、ログイン前に容態の急変があった場合でもログイン手続を経ることなくナース端末を呼出すことができ、緊急の場合でも迅速に在宅診察サービスを提供できる。
請求項１４に記載の在宅診察システムは、請求項１０ないし請求項１３のいずれかに記載の在宅診察システムであって、患者端末は患者の診察に必要な情報を収集する診察センサを備え、診察センサの情報を取得して通信サーバに送信する機能を有し、通信サーバは送信された診察センサの情報を受信して医師端末および／またはナース端末に送信する機能を有し、医師端末および／またはナース端末は送信された診察センサの情報を受信して表示する機能を有するものである。
これにより、医師端末および／またはナース端末において患者端末に備えられた診察センサの情報を確認できるので、在宅患者の病状をより的確に把握でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
請求項１５に記載の在宅診察システムは、請求項１４に記載の在宅診察システムであって、患者端末は診察センサの信号の一部又は全部を音声信号として送信する機能を有するものである。
これにより、例えば聴診器のように医師等がセンサで抽出された音を直接耳で聞くことにより診察するセンサについては、センサ信号を患者端末からテレビ電話の音声信号として送信することで、医師端末においてセンサ信号を通話用のヘッドセット等により直接聞くことができ、より実際に病院に行ったときに近い環境で在宅診察サービスを提供できる。
請求項１６に記載の在宅診察システムは、テレビ電話機能を有する患者端末とテレビ電話機能を有する医師端末とを通信回線を介して接続して在宅診察サービスを提供するシステムであって、患者端末からの診察要求を受付ける受付サーバと、診察要求を受付けられた患者端末と医師端末とを接続して、映像及び音声による双方向の通信機能を提供する通信サーバとを備え、受付サーバは患者端末からのナースコールを受付けてテレビ電話機能を有するナース端末に通知する機能を有し、通信サーバはナースコールを受付けられた患者端末と通知されたナース端末とを接続して映像及び音声による対話サービスを提供する機能を有するものである。
これにより、受付サーバは患者端末からのナースコールを受付けてナース端末に通知し、通信サーバはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、実際に病院に行ったときに近い環境で在宅診察サービスを提供できる。
請求項１７に記載の在宅診察システムは、請求項１６に記載の在宅診察システムであって、患者端末は受付サーバに対してナースコールを発信するナースコールボタンを備え、ナースコールボタンが押されたときに受付サーバに対して自動的にログインしてナースコールを発信する機能を有するものである。
これにより、患者端末に備えられたナースコールボタンを押すことで受付サーバに自動的にログインできるので、ログイン前に容態の急変があった場合でもログイン手続を経ることなくナース端末を呼出すことができ、緊急の場合でも迅速に在宅診察サービスを提供できる。
請求項１８に記載の在宅診察システムは、請求項１ないし請求項１７のいずれかに記載の在宅診察システムであって、受付サーバは患者端末から投薬の要求を受付ける機能と、投薬の要求を受付けられた患者の担当医が使用する医師端末に対して投薬確認を問合せる機能と、問合せに対して医師端末が発行する処方箋を薬剤の宅配サービスを行う薬局が使用する薬局端末に配信する機能とを有するものである。
これにより、患者は病院に行くことなく在宅で担当医に投薬を申し込むことができ、宅配サービスにより薬剤を受け取ることができる。
請求項１９に記載の在宅診察システムは、請求項１ないし請求項１８のいずれかに記載の在宅診察システムであって、受付サーバは患者端末から相談の要求を受付ける機能と、相談の要求を受付けられた患者端末から相談文を受信する機能と、受信された相談文を担当医の医師端末に送信する機能と、送信された相談文に対する医師端末からの回答文を受信する機能と、受信された回答文を相談の要求を受付けられた患者端末に送信する機能とを有するものである。
これにより、患者は病院に行くことなく在宅で担当医に医療に関する相談を申し込むことができ、在宅患者は医師に大きな負担をかけることなく病気に対する不安を解消したり、治療の相談等を行うことができる。
請求項２０に記載の在宅診察システムは、請求項１ないし請求項１９のいずれかに記載の在宅診察システムであって、受付サーバは患者端末から通院の予約を受付ける機能を有するものである。
これにより、患者は病院に行くことなく在宅で通院の予約を行うことができ、病院での待ち合わせ時間を最小限として効率的に担当医の診察を受けることができる。
請求項２１に記載の在宅診察方法は、テレビ電話機能を有する患者端末とテレビ電話機能を有する医師端末とを通信回線を介して接続して在宅診察サービスを提供する方法であって、患者端末からの診察要求を受付けるステップと、診察要求を受付けられた患者端末と医師端末とを接続して映像及び音声による双方向の通信機能を提供するステップとを備え、映像及び音声の双方向の通信を行うステップは受付けられた患者端末間で映像及び音声による対話サービスを提供する仮想の待合室を設定するステップを有し、診察要求を受付けるステップは診察要求を受付けられた患者端末を設定された仮想の待合室に接続するステップを有するものである。
これにより、診察要求を受付けるステップは診察要求を受付けられた患者端末を映像及び音声の双方向の通信を行うステップにおいて設定された仮想の待合室に接続し、映像及び音声の双方向の通信を行うステップは仮想の待合室に接続された患者端末相互間でテレビ電話による対話サービスを提供するので、患者端末が医師端末と接続されて医師による診察を受けるまでの間に患者に容態の急変等があっても仮想の待合室に接続中の他の患者のアシストを受けることができ、仮想の待合室に接続中の患者同士で情報交換することで病気に対する不安や孤独感を解消することができ、実際に病院に行ったときに近い環境で在宅診察サービスを提供できる。
請求項２２に記載の在宅診察方法は、請求項２１に記載の在宅診察方法であって、映像及び音声の双方向の通信を行うステップは病院の待合室に備えられた待合室端末を設定された仮想の待合室に接続するステップを有するものである。
これにより、映像及び音声の双方向の通信を行うステップは仮想の待合室に接続された患者端末と病院の待合室に備えられた待合室端末との間でテレビ電話による対話サービスを提供するので、患者端末が医師端末と接続されて医師による診察を受けるまでの間に患者に容態の急変等があっても病院の待合室にいる患者等のアシストを受けることができ、患者は病院の待合室にいる患者等と情報交換することで病気に対する不安や孤独感を解消することができ、より実際に病院に行ったときに近い環境で在宅診察サービスを提供できる。
請求項２３に記載の在宅診察方法は、請求項２１または請求項２２に記載の在宅診察方法であって、診察要求を受付けるステップは仮想の待合室に接続されている呼出元の端末においてポインティングデバイスにより指定された画面上の位置から仮想の待合室に接続されている呼出先の端末を選択するステップを有し、映像及び音声の双方向の通信を行うステップは呼出元の端末と呼出先の端末とを個別に接続して映像及び音声による対話サービスを提供するステップを有するものである。
これにより、診察要求を受付けるステップは呼出元の端末においてポインティングデバイスにより指定された呼出先の患者端末を選択し、映像及び音声の双方向の通信を行うステップは呼出元の端末と呼出先の端末との間でテレビ電話による個別対話サービスを提供するので、特定の患者とプライベートな相談を行うことも可能となり、より実際に病院に行ったときに近い環境で在宅診察サービスを提供できる。
請求項２４に記載の在宅診察方法は、請求項２１ないし請求項２３のいずれかに記載の在宅診察方法であって、診察要求を受付けるステップは患者端末からのナースコールを受付けてテレビ電話機能を有するナース端末に通知するステップを有し、映像及び音声の双方向の通信を行うステップはナースコールを受付けられた患者端末と通知されたナース端末とを接続して映像及び音声による対話サービスを提供するステップを有するものである。
これにより、診察要求を受付けるステップは患者端末からのナースコールを受付けてナース端末に通知し、映像及び音声の双方向の通信を行うステップはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
請求項２５に記載の在宅診察方法は、請求項２４に記載の在宅診察方法であって、映像及び音声の双方向の通信を行うステップは要看護者が使用する患者端末が接続される仮想の看護室を設定するステップを有し、診察要求を受付けるステップは患者端末または医師端末またはナース端末からの要求により要看護者が使用する患者端末を仮想の看護室に接続するステップを有し、映像及び音声の双方向の通信を行うステップは医師端末および／またはナース端末からの要求により仮想の看護室に接続されている各患者端末の映像及び音声を医師端末および／またはナース端末に配信するステップを有するものである。
これにより、診察要求を受付けるステップは患者端末または医師端末またはナース端末からの要求により要看護者の患者端末を映像及び音声の双方向の通信を行うステップにより設定された仮想の看護室に接続し、映像及び音声の双方向の通信を行うステップは医師端末および／またはナース端末からの要求により仮想の看護室に接続されている各患者端末の映像及び音声を送信するので、例えば容態の急変等を看視する必要のある在宅患者を医師端末および／またはナース端末から定期的に見廻ることができ、より実際に病院に入院したときに近い環境で在宅診察サービスを提供できる。
請求項２６に記載の在宅診察方法は、請求項２５に記載の在宅診察方法であって、診察要求を受付けるステップは医師端末および／またはナース端末においてポインティングデバイスにより指定された画面上の位置から仮想の看護室に接続されている患者端末を選択するステップを有し、映像及び音声の双方向の通信を行うステップは医師端末および／またはナース端末と選択された患者端末とを個別に接続して映像及び音声による対話サービスを提供するステップを有するものである。
これにより、診察要求を受付けるステップは医師および／またはナースは端末においてポインティングデバイスにより指定された患者端末を選択し、映像及び音声の双方向の通信を行うステップは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
請求項２７に記載の在宅診察方法は、請求項２５または請求項２６に記載の在宅診察方法であって、映像及び音声の双方向の通信を行うステップは患者端末に備えられた診察センサにより取得された情報を受信して医師端末および／またはナース端末に送信するステップを有するものである。
これにより、医師端末および／またはナース端末において患者端末に備えられた診察センサの情報を確認できるので、在宅患者の病状をより的確に診察でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
請求項２８に記載の在宅診察方法は、テレビ電話機能を有する患者端末とテレビ電話機能を有する医師端末とを通信回線を介して接続して在宅診察サービスを提供する方法であって、患者端末からの診察要求を受付けるステップと、診察要求を受付けられた患者端末と医師端末とを接続して映像及び音声による双方向の通信機能を提供するステップとを備え、映像及び音声の双方向の通信を行うステップは要看護者が使用する患者端末が接続される仮想の看護室を設定するステップを有し、診察要求を受付けるステップは患者端末または医師端末またはテレビ電話機能を有するナース端末からの要求により要看護者が使用する患者端末を仮想の看護室に接続するステップを有し、映像及び音声の双方向の通信を行うステップは医師端末および／またはナース端末からの要求により仮想の看護室に接続されている患者端末の映像及び音声を合成して医師端末および／またはナース端末に配信するステップを有するものである。
これにより、診察要求を受付けるステップは患者端末または医師端末またはナース端末からの要求により要看護者の患者端末を映像及び音声の双方向の通信を行うステップにより設定された仮想の看護室に接続し、映像及び音声の双方向の通信を行うステップは医師端末および／またはナース端末からの要求により仮想の看護室に接続されている各患者端末の映像及び音声を送信するので、例えば容態の急変等を看視する必要のある在宅患者を医師端末および／またはナース端末から定期的に見廻ることができ、より実際に病院に入院したときに近い環境で在宅診察サービスを提供できる。
請求項２９に記載の在宅診察方法は、請求項２８に記載の在宅診察方法であって、診察要求を受付けるステップは医師端末および／またはナース端末においてポインティングデバイスにより指定された画面上の位置から仮想の看護室に接続されている患者端末を選択するステップを有し、映像及び音声の双方向の通信を行うステップは医師端末および／またはナース端末と選択された患者端末とを個別に接続して映像及び音声による対話サービスを提供するステップを有するものである。
これにより、診察要求を受付けるステップは医師および／またはナースは端末においてポインティングデバイスにより指定された患者端末を選択し、映像及び音声の双方向の通信を行うステップは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
請求項３０に記載の在宅診察方法は、請求項２８または請求項２９に記載の在宅診察方法であって、診察要求を受付けるステップは患者端末からのナースコールを受付けてナース端末に通知するステップを有し、映像及び音声の双方向の通信を行うステップはナースコールを受付けられた患者端末と通知されたナース端末とを接続して映像及び音声による対話サービスを提供するステップを有するものである。
これにより、診察要求を受付けるステップは患者端末からのナースコールを受付けてナース端末に通知し、映像及び音声の双方向の通信を行うステップはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
請求項３１に記載の在宅診察方法は、請求項２８ないし請求項３０のいずれかに記載の在宅診察方法であって、映像及び音声の双方向の通信を行うステップは患者端末に備えられた診察センサにより取得された情報を受信して医師端末および／またはナース端末に送信するステップを有するものである。
これにより、医師端末および／またはナース端末において患者端末に備えられた診察センサの情報を確認できるので、在宅患者の病状をより的確に診察でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
請求項３２に記載の在宅診察方法は、テレビ電話機能を有する患者端末とテレビ電話機能を有する医師端末とを通信回線を介して接続して在宅診察サービスを提供する方法であって、患者端末からの診察要求を受付けるステップと、診察要求を受付けられた患者端末と医師端末とを接続して映像及び音声による双方向の通信機能を提供するステップとを備え、診察要求を受付けるステップは患者端末からのナースコールを受付けてテレビ電話機能を有するナース端末に通知するステップを有し、映像及び音声の双方向の通信を行うステップはナースコールを受付けられた患者端末と通知されたナース端末とを接続して映像及び音声による対話サービスを提供するステップを有するものである。
これにより、診察要求を受付けるステップは患者端末からのナースコールを受付けてナース端末に通知し、映像及び音声の双方向の通信を行うステップはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
請求項３３に記載の在宅診察方法は、請求項２１ないし請求項３２のいずれかに記載の在宅診察方法であって、診察要求を受付けるステップは患者端末から投薬の要求を受付けるステップと、投薬の要求を受付けられた患者の担当医が使用する医師端末に対して投薬確認を問合せるステップと、問合せに対して医師端末が発行する処方箋を薬剤の宅配サービスを行う薬局が使用する薬局端末に配信するステップとを有するものである。
これにより、患者は病院に行くことなく在宅で担当医に投薬を申し込むことができ、宅配サービスにより薬剤を受け取ることができる。
請求項３４に記載の在宅診察方法は、請求項２１ないし請求項３３のいずれかに記載の在宅診察方法であって、診察要求を受付けるステップは患者端末から相談の要求を受付けるステップと、相談の要求を受付けられた患者端末から相談文を受信するステップと、受信された相談文を担当医の医師端末に送信するステップと、送信された相談文に対する医師端末からの回答文を受信するステップと、受信された回答文を相談の要求を受付けられた患者端末に送信するステップとを有するものである。
これにより、患者は病院に行くことなく在宅で担当医に医療に関する相談を申し込むことができ、在宅患者は医師に大きな負担をかけることなく病気に対する不安を解消したり、治療の相談等を行うことができる。
請求項３５に記載の在宅診察方法は、請求項２１ないし請求項３４のいずれかに記載の在宅診察方法であって、診察要求を受付けるステップは患者端末から通院の予約を受付けるステップを有するものである。
これにより、患者は病院に行くことなく在宅で通院の予約を行うことができ、病院での待ち合わせ時間を最小限として効率的に担当医の診察を受けることができる。
請求項３６に記載の在宅診察プログラムは、請求項２１ないし請求項３５のいずれかに記載の在宅診察方法をコンピュータで実行させるためのものである。
かかる在宅診察プログラムをコンピュータで実行させ、通信回線を介して患者端末と接続することにより、請求項２１ないし請求項３５のいずれかに記載の在宅診察方法が奏する作用効果と同様の作用効果を奏する。
本願発明の上述の目的，その他の目的，特徴および利点は、図面を参照して行う以下の発明の実施の形態の詳細な説明から一層明らかとなろう。
【図面の簡単な説明】  第１図は、本願発明の一実施形態にかかる在宅診察システムのシステム構成図である。
第２図は、本願発明の一実施形態にかかる在宅診察システムの通信サーバに備えられた接続先テーブルの設定例を示す図である。
第３図は、本願発明の一実施形態にかかる在宅診察システムの患者端末に備えられる診察センサの例を示す図である。
第４図は、本願発明の一実施形態にかかる在宅診察システムの受付サーバにおける患者側処理の処理手順の例を示すフロー図（その１）である。
第５図は、本願発明の一実施形態にかかる在宅診察システムの受付サーバにおける患者側処理の処理手順の例を示すフロー図（その２）である。
第６図は、本願発明の一実施形態にかかる在宅診察システムの受付サーバにおける患者側処理の処理手順の例を示すフロー図（その３）である。
第７図は、本願発明の一実施形態にかかる在宅診察システムの受付サーバにおける患者側処理の処理手順の例を示すフロー図（その４）である。
第８図は、本願発明の一実施形態にかかる在宅診察システムの受付サーバにおける患者側処理の処理手順の例を示すフロー図（その５）である。
第９図は、本願発明の一実施形態にかかる在宅診察システムの受付サーバにおける患者側処理の処理手順の例を示すフロー図（その６）である。
第１０図は、本願発明の一実施形態にかかる在宅診察システムの受付サーバにおける患者側処理の処理手順の例を示すフロー図（その７）である。
第１１図は、本願発明の一実施形態にかかる在宅診察システムの受付サーバにおける患者側処理の処理手順の例を示すフロー図（その８）である。
第１２図は、本願発明の一実施形態にかかる在宅診察システムの受付サーバにおける患者側処理の処理手順の例を示すフロー図（その９）である。
第１３図は、本願発明の一実施形態にかかる在宅診察システムの受付サーバにおけるナース側処理の処理手順の例を示すフロー図（その１）である。
第１４図は、本願発明の一実施形態にかかる在宅診察システムの受付サーバにおけるナース側処理の処理手順の例を示すフロー図（その２）である。
第１５図は、本願発明の一実施形態にかかる在宅診察システムの受付サーバにおけるナース側処理の処理手順の例を示すフロー図（その３）である。
第１６図は、本願発明の一実施形態にかかる在宅診察システムの受付サーバにおけるナース側処理の処理手順の例を示すフロー図（その４）である。
第１７図は、本願発明の一実施形態にかかる在宅診察システムの受付サーバにおけるナース側処理の処理手順の例を示すフロー図（その５）である。
第１８図は、本願発明の一実施形態にかかる在宅診察システムの受付サーバにおける医師側処理の処理手順の例を示すフロー図（その１）である。
第１９図は、本願発明の一実施形態にかかる在宅診察システムの受付サーバにおける医師側処理の処理手順の例を示すフロー図（その２）である。
第２０図は、本願発明の一実施形態にかかる在宅診察システムの受付サーバにおける医師側処理の処理手順の例を示すフロー図（その３）である。
第２１図は、本願発明の一実施形態にかかる在宅診察システムの受付サーバにおける医師側処理の処理手順の例を示すフロー図（その４）である。
第２２図は、本願発明の一実施形態にかかる在宅診察システムの受付サーバにおける医師側処理の処理手順の例を示すフロー図（その５）である。
第２３図は、本願発明の一実施形態にかかる在宅診察システムの受付サーバにおける医師側処理の処理手順の例を示すフロー図（その６）である。
第２４図は、患者端末に表示される患者受付画面の例を示す図である。
第２５図は、患者端末に表示される新規登録画面の例を示す図である。
第２６図は、患者端末に表示される患者メニュー画面の例を示す図である。
第２７図は、患者端末に表示される初診受付画面の例を示す図である。
第２８図は、患者端末に表示される診察受付完了画面の例を示す図である。
第２９図は、患者端末に表示される待合室画面の例を示す図である。
第３０図は、患者端末に表示される診察案内画面の例を示す図である。
第３１図は、患者端末に表示される診察画面（患者側）の例を示す図である。
第３２図は、患者端末に表示される再診受付画面の例を示す図である。
第３３図は、患者端末に表示される投薬受付画面の例を示す図である。
第３４図は、患者端末に表示される相談受付画面の例を示す図である。
第３５図は、患者画面に表示される通院予約画面の例を示す図である。
第３６図は、患者端末に表示される看護受付画面の例を示す図である。
第３７図は、患者端末に表示される看護室入室画面の例を示す図である。
第３８図は、ナース端末に表示されるナースメニュー画面の例を示す図である。
第３９図は、ナース端末に表示される診察受付者確認画面の例を示す図である。
第４０図は、ナース端末に表示される患者カルテ表示画面の例を示す図である。
第４１図は、ナース端末に表示される看護室確認画面の例を示す図である。
第４２図は、ナース端末に表示されるナースコール受付画面の例を示す図である。
第４３図は、医師端末に表示される医師メニュー画面の例を示す図である。
第４４図は、医師端末に表示される診察画面（医師側）の例を示す図である。
第４５図は、医師端末に表示される相談処理画面の例を示す図である。
第４６図は、患者端末に送信される相談回答メールの例を示す図である。
第４７図は、医師端末に表示される投薬処理画面の例を示す図である。
【発明を実施するための最良の形態】  第１図に本願発明の一実施形態にかかる在宅診察システムのシステム構成図を示す。図において、１００は在宅診察システムであり、受付サーバ１１０と、通信サーバ１２０と、メールサーバ１３０と、運営管理システム１４０と、医師が使用する医師端末１６１、１６２、１６３、…と、病院の受付が使用する受付端末１７０と、病院の待合室に設置される待合室端末１７５と、ナースが使用するナース端末１８０と、薬を配給する薬局が使用する薬局端末１９０と、通信回線接続装置１５０とが、病院内のネットワーク（ＬＡＮ）で接続されており、在宅診察サービスの提供時には通信回線２００を介して患者が使用する患者端末３０１、３０２、３０３、…と接続される。
受付サーバ１１０は、本システムを使用する際の窓口となるＷＷＷサーバであり、患者端末３０１、３０２、３０３、…、医師端末１６１、１６２、１６３、…、ナース端末１８０等からＷｅｂブラウザを用いて所定のページにアクセスすることにより、在宅診察サービスの各種手続を行うことができる。
通信サーバ１２０は、接続する端末の端末アドレスを設定する接続先テーブル１２２を備え、接続先テーブルに設定された端末間を接続して、映像および音声を含むマルチメディア情報による双方向通信機能を提供する。従って、通信サーバ１２０は、接続される各端末が使用するテレビ電話プロトコルに対応して端末相互間を多地点接続する機能を有する。
通信サーバ１２０は、目的に応じた各種の接続形態をサポートしており、接続先テーブル１２２には、第２図に示すように、在宅診察システムに接続中の各患者端末と待合室端末１７０とが接続される仮想の待合室と、各医師端末１６１、１６２、１６３、…毎に設けられて在宅診察を受ける各患者端末が接続される仮想の診察室１、診察室２、診察室３、…と、容態の変化を監視する必要のある患者や１人暮しや寝たきりの患者等の要看護者の患者端末が接続されてナース端末または医師端末から状況確認できる仮想の看護室１、看護室２、看護室３、…と、患者端末相互間、患者端末とナース端末間、患者端末と待合室端末間、患者端末と受付端末間等の個別の対話機能を提供する仮想の個別対話室Ａ、Ｂ、Ｃ、Ｄ、Ｅ、…等を備え、通信サーバ１２０の処理能力の範囲内でテレビ電話による対話を同時に行うことができる。
尚、ここでは各端末はインターネットを含むコンピュータネットワークを介して相互に接続されるので、接続先テーブルには接続する端末のＩＰアドレスが設定されることを想定しているが、例えば接続する端末がＩＳＤＮ回線を介して通信するＩＳＤＮテレビ電話の場合には、接続先テーブルには端末の電話番号が設定される。
メールサーバ１３０は、オフラインの患者端末に対して医療相談の回答や各種の通知を行う等のために便用されるが、必ずしもシステム内にメールサーバを備える必要はなく、回線接続業者等が提供するメールサーバを使用してもよい。
運営管理サーバ１４０は、病院の運営管理をするサーバであり、患者の診察履歴を記録する患者カルテ、診察を受付けられた患者を登録する診察受付テーブル、投薬を受付けられた患者を登録する投薬受付テーブル、相談を受付けられた患者を登録する相談受付テーブル、通院の予約を受付けられた患者を登録する通院予約テーブル、容態の変化を看護する患者を登録する看護テーブル等を記録するデータベース１４２を備え、病院の運営管理をするサーバである。
本実施形態では、在宅診察専門の病院ではなく、通常の通院や入院をも受付る病院の場合を例にとって説明するので、運営管理サーバ１４０は通常の通院患者・入院患者と在宅診察患者を混在して取り扱う。従って、受付端末において通院患者や入院患者の受付を行い、受付けた情報を医師端末やナース端末に通知し、医師端末からの処方箋に従って薬局端末に対して投薬指示を出し、医師端末と薬局端末からの情報に基づいて医療費の精算を行う機能を有する。但し、本願発明は在宅診察に関するものであるので、通常の通院や入院に関する運営管理の詳細な説明は省略する。
医師端末１６１、１６２，１６３、…と、受付端末１７０と、ナース端末１８０と、薬局端末１９０とは、映像入力インターフェイス・音声入出力インターフェイス・ネットワーク接続装置等を備えたコンピュータ（ａ）と、コマンドやメッセージの入力用のキーボード（ｂ）・マウス（ｃ）と、画像を表示するモニタ画面（ｄ）と、利用者の映像を取得するテレビカメラ（ｅ）と、利用者の音声の入出力を行うヘッドセット（ｆ）とから構成され、コンピュータ（ａ）には利用者の映像および音声を取得して通信サーバ１２０に送信するとともに、通信サーバ１２０から送信される映像および音声をモニタ画面（ｄ）およびヘッドセット（ｆ）に出力する映像音声通信プログラムと、受付サーバ１１０にアクセスするためのＷｅｂブラウザとがインストールされている。
待合室端末１７５は、医師端末等と同様に、コンピュータ（ａ）、キーボード（ｂ）、マウス（ｃ）、モニタ画面（ｄ）、テレビカメラ（ｅ）を備えるが、患者が病院の待合室にいる人達と会話できるようにヘッドセット（ｆ）に変えて、スピーカ（ｆ１）とマイク（ｆ２）を備える。
通信回線２００は、有線のコンピュータネットワーク、無線のコンピュータネットワーク、電話回線、衛星回線、インターネット等、どのような通信回線に対しても適応できるが、ここではインターネットを使用した場合を例にとって説明する。従って、通信回線接続装置１５０は、インターネットに接続するためのインターネットルータを使用する。
一方、患者端末３０１、３０２、３０３、…は、医師端末等と同様に、映像入力インターフェイス・音声入出力インターフェイス・ネットワーク接続装置等を備えたコンピュータ（ａ）と、コマンドやメッセージの入力用のキーボード（ｂ）・マウス（ｃ）と、画像を表示するモニタ画面（ｄ）と、患者の映像を取得するテレビカメラ（ｅ）と、患者の音声の入出力を行うヘッドセット（ｆ）とを備えるとともに、患者端末からナース端末を呼出すためのナースコールボタン（ｇ）と、患者のバイタルを計測する診察センサ（ｈ）とを備え、コンピュータ（ｆ）には、患者の映像および音声を取得して通信サーバ１２０に送信するとともに通信サーバ１２０から送信される映像および音声をモニタ画面（ｄ）およびヘッドセット（ｆ）に出力する映像音声通信プログラムと、受付サーバ１１０にアクセスするためのＷｅｂブラウザとがインストールされている。
診察センサ（ｈ）は、ここでは第３図に示すように、患者の心音を聴取するための聴診器と、患者の体温を計測する体温プローブと、患者の血圧を計測する血圧プローブと、患者の酸素飽和度や脈拍を計測するＳｐＯ２プローブと、患者の心電図を計測するための心電プローブとを備え、聴診器のように音を聞いて診断するセンサは切換器を用いてマイクと切換えて伝送し、その他のプローブはモニタ装置でディジタル化し、バッチデータとして伝送するようにしている。これにより、医師端末等では聴診器の音をヘッドセットのイヤフォンで直接聞くことができ、その他のバイタルセンサのデータはモニタ画面に表示して確認することができる。
診察センサは、通常は患者自身が装着して計測することになるので、自らプローブ等を装着可能なものであることが好ましいが、病状によっては医師等が往診を行って装着するような高度なセンサを含めてもよい。また、診察センサはすべての患者に対して同一のものを使用する必要はなく、多種のセンサの中から病状に応じて選択的に使用するようにしてもよい。
上記各端末にインストールされる映像音声通信プログラムとしては、ここでは通信回線としてインターネットを使用しているので、例えばＩＴＵ−Ｔ勧告のＨ．３２３に準拠したＩＰ型テレビ電話プロトコルに対応したものを使用することができる。また、通信回線としてＩＳＤＮ公衆回線を使用する場合には、ＩＴＵ−Ｔ勧告のＨ．３２０に準拠したＩＳＤＮテレビ電話プロトコルに対応したものを使用することができる。また、映像音声通信プログラムはこれらに限らず、通信回線を介して映像および音声の双方向通信を行えるものである限り、どのようなものであってもよい。
上記実施形態では、各端末は映像入力インターフェース・音声入出力インターフェース・ネットワーク通信装置を備えたコンピュータに映像音声通信プログラムとＷｅｂブラウザをインストールしたものを使用するとして説明したが、本願発明はこれに限定されるものではなく、テレビ電話機能とＷｅｂブラウザ機能を有するものであればどのような端末であってもよい。
上記実施形態では、診察室１、診察室２、診察室３、…や、個別対話室Ａ、個別対話室Ｂ、個別対話室Ｃ、個別対話室Ｄ、個別対話室Ｅ、…は各端末が１対１で通信するので、必ずしも通信サーバを経由して通信する必要はなく、各端末間を直接テレビ電話接続するようにしてもよい。その場合には、受付サーバに、接続する各端末に対してＩＰアドレスを橋渡しする機能を持たせるようにしてもよい。
上記実施形態では、通信サーバ１２０を備えるので３以上のテレビ電話端末を接続する多地点接続が可能であり、待合室では待合室端末と複数の患者端末を相互に接続するが、その場合に受信された各端末の映像を合成して各端末に配信するようにしてもよく、各端末の映像をお互いに他の端末に送信して自己の端末上で並べて表示するようにしてもよい。
また、看護室１、看護室２、看護室３、…は、看護を受ける患者端末の映像および音声をナース端末または医師端末が接続したときに確認できるようにするもので、ナース端末または医師端末からの要求により入室中の各患者端末の映像をナース端末または医師端末に送信する。その際に、各患者端末の映像を合成してナース端末または医師端末に配信するようにしてもよく、各患者端末の映像を個別にナース端末または医師端末に送信して受信側端末で並べて表示するようにしてもよい。
次に、在宅診察システム１００によって在宅診察を実施する手順について説明する。
第４図から第１２図に、受付サーバ１１０における患者側処理の処理フローの例を示す。患者等が患者端末から所定アドレスにアクセスすると、第２４図に示すような患者受付画面が表示される（Ｓ１００）。患者受付画面において、あらかじめ与えられた患者ＩＤとパスワードが入力され、「ログイン」ボタンがクリックされると（Ｓ１０２）、その入力情報が取得され（Ｓ１０４）、患者カルテと照合され、正規の登録者であれば（Ｓ１０６）、第２６図に示すような患者メニュー画面が表示される（Ｓ１０８）。正規の登録者でない場合は、再入力を要求する画面（図示省略）が表示される（Ｓ１１０）。
未登録の患者の場合は、「こちら」がクリックされることにより、第２５図に示すような新規登録画面が表示される（Ｓ１３０）。新規登録画面において、名前、住所、生年月日、性別、保険証番号、電話番号、緊急時連絡者、緊急時連絡者の電話番号、Ｅメールアドレス、主治医、既往症、アレルギー等が入力され、「送信」ボタンがクリックされると（Ｓ１３２）、入力情報が取得され（Ｓ１３４）、患者ＩＤとパスワードが発行される（Ｓ１３６）。また、患者カルテが生成され（Ｓ１３８）、発行された患者ＩＤとパスワードとともに入力情報が患者カルテに記録され、登録完了画面（図示省略）が表示されて（Ｓ１４０）、Ｓ１００の患者受付画面に戻る。
患者受付画面において「ナースコール」ボタンがクリックされるか、患者端末に備えられたナースコールボタンが押されると（Ｓ１１４）、患者端末のログイン情報が取得され（Ｓ１４２）、ナース端末に対して当該患者からのナースコールが通知され（Ｓ１４４）、Ｓ１００の患者受付画面に戻る。これにより、当該患者は、緊急の場合にログイン手続を行うことなく、後述のナース側処理によってナースと対話することができる。
また、患者受付画面からログイン後は、同様の処理により患者は各画面に表示される「ナースコール」ボタンをクリックするか、患者端末に備えられたナースコールボタンを押すことにより、いつでもナース端末を呼出すことができる。
尚、以下の処理において、ナースコールの説明は同様のため省略する。
患者メニュー画面において、「初診受付」ボタンがクリックされると（Ｓ１１６）、第２７図に示すような初診受付画面が表示される（Ｓ１５０）。初診受付画面において、診察を希望する診察科目が選択され、自覚症状および食欲・睡眠・便通・尿・酒・煙草等の体調に関する情報が入力され、「送信」ボタンがクリックされると（Ｓ１５２）、入力情報が取得され（Ｓ１５４）、当該患者の診察カルテに選択された診察科目の診察カルテが生成される（Ｓ１５６）。
初診受付画面には「受付呼出」ボタンが備えられ、患者が「受付呼出」ボタンをクリックすることにより受付端末に呼出通知が送信され、受付端末がこれに応答すると、通信サーバの接続先テーブル１２２の個別対話室に受付端末の端末アドレスと当該患者端末の端末アドレスが設定され、当該患者端末と病院の受付端末との間で映像および音声による対話が可能となる。これにより、患者は診察科目が判らない場合や手続方法が判らない場合等に受付に相談することができる。
尚、以下の各受付画面においても「受付呼出」ボタンを備えるが、同様のため説明は省略する。
診察を受付けると、当該患者が診察受付テーブルに登録され（Ｓ１５８）、第２８図に示すような診察受付完了画面が表示される（Ｓ１６０）。診察受付完了画面において、「待合室入室」ボタンがクリックされると（Ｓ１６２）、第２９図に示すような待合室画面が表示され（Ｓ１６４）、通信サーバの接続先テーブル１２２の待合室に患者端末アドレスが設定される（Ｓ１６６）。これにより、待合室に入室中の各患者端末および病院の待合室端末との相互間で映像および音声による対話が可能となる。
待合室画面には、病院の待合室の映像と入室中の各患者の映像が表示され、各患者の映像表示部には各患者の名前が表示される。名前を公表したくない患者は、あらかじめニックネームを登録しておくことにより、登録されているニックネームが表示される。
待合室画面において、呼出したい患者の映像表示部がクリックされると、そのクリック位置が取得され、表示されている各患者端末の座標と比較することにより呼出先の患者端末が選択され、当該患者端末に呼出通知（図示省略）が送信され、呼出先の患者が当該呼出通知に対して「応答」ボタンをクリックすると、個別対話画面（図示省略）が表示され、通信サーバの接続先テーブル１２２の個別対話室Ａに呼出元の患者端末の端末アドレスと呼出先の患者端末の端末アドレスとが設定される。これにより、仮想の待合室に入室中の患者同士で個別に対話することができる。
病院の待合室端末１７５にも、第２９図と同様の待合室画面が表示され、病院の待合室にいる患者が呼出したい患者の映像表示部をクリックすると、同様に呼出先の患者端末に呼出通知（図示省略）が送信され、呼出先の患者が当該呼出通知に対して「応答」ボタンをクリックすると、個別対話画面（図示省略）が表示され、通信サーバの接続先テーブル１２２の個別対話室に待合室端末の端末アドレスと呼出先の患者端末の端末アドレスとが設定される。これにより、病院の待合室にいる患者と仮想の待合室に入室中の患者との間で個別に対話することができる。
待合室画面において、「退室」ボタンがクリックされると、通信サーバの接続先テーブル１２２の待合室から当該患者端末の端末アドレスが削除され、待合室接続状態が解除される。
ナース端末または医師端末から診察案内通知を受取ると（Ｓ１６８）、第３０図に示すような診察案内画面が表示される（Ｓ１７０）。診察案内画面において、「診察室入室」ボタンがクリックされると（Ｓ１７２）、患者が待合室の入室中の場合は接続先テーブル１２２の待合室から当該患者端末の端末アドレスが削除され（Ｓ１７４）、担当医の医師端末に診察室入室が通知され（Ｓ１７５）、第３１図に示すような診察画面（患者側）が表示される（Ｓ１７６）。これにより、後述の医師側処理により患者端末は担当医の医師端末と接続され、患者は担当医の対話が可能となり、担当医による診察を受けることができる。
また、診察に際して、患者が診察センサを装着することにより医師端末からの遠隔操作でバイタルの測定や聴診器による検診が行える。尚、診察センサの測定値は診察画面に表示され、患者自身も知ることができる。
医師端末から後述の診察終了通知を受取ると（Ｓ１７８）、診察画面（患者側）が閉じられ、Ｓ１０８の患者メニュー画面に戻る。
患者メニュー画面において、「再診受付」ボタンがクリックされると（Ｓ１１８）、当該患者の診察カルテが取得され（Ｓ１８０）、第３２図に示すような再診受付画面が表示される（Ｓ１８２）。再診受付画面では、診察カルテに基づいて、現在診察中の診察科目が表示される。再診受付画面において、表示された診察科目のなかから診察希望科目が選択され、自覚症状が特にあれば入力され、「送信」ボタンがクリックされることにより（Ｓ１８４）、入力情報が取得され（Ｓ１８６）、Ｓ１５８に進む。これにより、前述の初診受付と同様に、当該患者は診察受付テーブルに登録され、診察案内通知を待って医師の診察を受けることができる。
患者メニュー画面において、「投薬受付」ボタンがクリックされると（Ｓ１２０）、当該患者の診察カルテが取得され（Ｓ１９０）、第３３図に示すような投薬受付画面が表示される（Ｓ１９２）。投薬受付画面では、診察カルテに基づいて、現在診察中の診察科目が表示される。投薬受付画面において、表示された診察科目のなかから投薬希望科目が選択され、自覚症状が特にあればその内容が入力され、「送信」ボタンがクリックされると（Ｓ１９４）、入力情報が取得され（Ｓ１９６）、投薬受付テーブルに登録され（Ｓ１９８）、医師端末に対して投薬受付が通知される（Ｓ２００）。投薬受付通知に対して、後述の医師側処理により、医師端末から許可通知を受けると（Ｓ２０２）、投薬受付完了表示（図示省略）が表示され（Ｓ２０４）、不許可通知を受けると（Ｓ２０６）、不許可理由表示（図示省略）が表示され（Ｓ２０８）、Ｓ１０８の患者メニュー画面に戻る。
患者メニュー画面において、「相談受付」ボタンがクリックされると（Ｓ１２２）、第３４図に示すような相談受付画面が表示される（Ｓ２１０）。相談受付画面において、相談を希望する診察科目が選択され、相談内容が入力され、「送信」ボタンがクリックされると（Ｓ２１２）、入力情報が取得され（Ｓ２１４）、医師端末に対して相談受付通知が送信され（Ｓ２１８）、Ｓ１０８の患者メニュー画面に戻る。これにより、後述の医師側処理により担当医からの回答が後日メールにより当該患者端末に送信される。
患者メニュー画面において、「通院予約」ボタンがクリックされると（Ｓ１２４）、当該患者の診察カルテが取得され（Ｓ２２０）、第３５図に示すような通院予約画面が表示される（Ｓ２２２）。通院予約画面では、診察カルテに基づいて、現在診察中の診察科目が表示される。通院予約画面において、表示された診察科目のなかから通院診察希望科目が選択され、日付が入力され、「設定」ボタンがクリックされると（Ｓ２２４）、予約状況が表示される（Ｓ２２６）。予約状況表示において、予約可能な時刻が選択され、「予約」ボタンがクリックされると（Ｓ２２８）、指定時刻が予約済みと表示され、指定時刻の予約が通院予約テーブルに設定される（Ｓ２３０）。これにより、患者は患者端末から通院予約を行うことができる。
また、予約済みの指定時刻が選択され、「取消」ボタンがクリックされると（Ｓ２３２）、指定時刻の予約済み表示が消去され、通院予約テーブルの予約が削除される（Ｓ２３４）。これにより、患者は既に実施した通院予約を取消すことができる。
患者メニュー画面において、「看護受付」ボタンがクリックされると（Ｓ１２６）、第３６図に示すような看護受付画面が表示される（Ｓ２４０）。看護受付画面において、自覚症状が特にあれば入力され、「看護室入室申込」ボタンがクリックされると（Ｓ２４２）、入力情報が取得され（Ｓ２４４）、ナース端末に看護申込が通知される（Ｓ２４６）。看護申込通知に対して、後述のナース側処理により、ナース端末から許可通知を受けると（Ｓ２４８）、当該患者が患者受付テーブルに登録され（Ｓ２５０）、第３７図に示すような看護室入室画面が表示され（Ｓ２５２）、接続先テーブル１２２の看護室に当該患者端末の端末アドレスが設定される（Ｓ２５２）。また、ナース端末から不許可通知を受けると（Ｓ２５６）、不許可理由を表示して（Ｓ２５８）、Ｓ１０８の患者メニュー画面に戻る。
看護室入室画面において、「送信中断」ボタンがクリックされると（Ｓ２６０）、映像および音声の送信が中断され（Ｓ２６２）、「送信解除」ボタンがクリックされると（Ｓ２６４）、映像および音声の送信が再開される（Ｓ２６６）。これにより、看護室に入室中の患者は、ナースや医師に見られたくない用事が生じたときに、送信を中断することでプライベートを確保することができる。
看護室入室画面において、「退室」ボタンがクリックされると（Ｓ２６８）、接続先テーブル１２２の看護室から当該患者端末の端末アドレスが削除されるとともに（Ｓ２７０）、当該患者が看護受付テーブルから削除され（Ｓ２７２）、「戻る」ボタンがクリックされると（Ｓ２７４）、Ｓ１０８の患者メニュー画面に戻る。
第１３図から第１７図に、受付サーバ１１０におけるナース側処理の処理フローの例を示す。ナースがナース端末から所定アドレスにアクセスすると、ナースログイン画面（図示省略）が表示される（Ｓ３００）。ナースログイン画面において、あらかじめ与えられたナースＩＤとパスワードが入力され、「ログイン」ボタンがクリックされると（Ｓ３０２）、第３８図に示すようなナースメニュー画面が表示される（Ｓ３０４）。
ナースメニュー画面において、「診察受付者確認」ボタンがクリックされると（Ｓ３０６）、第３９図に示すような診察受付者確認画面が表示される（Ｓ３２０）。
診察受付者確認画面において、診察室が選択され、「設定」ボタンがクリックされると（Ｓ３２２）、診察受付テーブルの指定された診察室の情報が取得され（Ｓ３２４）、当日の診察受付者リストが表示される（Ｓ３２６）。
診察受付者リストにおいて、特定の患者の患者ＩＤがクリックされると（Ｓ３２８）、第４０図に示すような患者カルテ表示画面が表示され（Ｓ３３０）、当該患者のカルテ情報を確認できる。
患者カルテ表示画面には「患者呼出」ボタンが備えられ、これがクリックされると（Ｓ３３２）、患者呼出処理が実行され（Ｓ３３４）、患者端末に対して呼出通知が送信され、後述のナースコール受付時と同様に、個別対話画面が表示され、接続先テーブルの個別対話室に当該患者端末の端末アドレスとナース端末の端末アドレスが設定されて、当該患者とナースとの間で映像および音声による対話が可能となる。また、当該患者が急患の場合には、「急患通知」ボタンをクリックすることにより、医師端末に通報することができる。
また、患者カルテ表示画面には「看護室入室」ボタンが備えられ、これがクリックされると（Ｓ３３６）、当該患者が看護受付テーブルに登録され（Ｓ３３８）、接続先テーブル１２２の看護室に当該患者端末アドレスが設定され（Ｓ３４０）、当該患者端末に看護室入室が通知される（Ｓ３４２）。これに対して、患者端末において、当該看護室入室通知に設けられた「看護室入室表示」ボタンがクリックされると、前述の看護室入室画面が表示される。
患者カルテ表示画面において、「戻る」ボタンがクリックされると（Ｓ３４４）、診察受付者確認画面に戻り、診察受付者確認画面において、「戻る」ボタンがクリックされると（Ｓ３５０）、Ｓ３０４のナースメニュー画面に戻る。
ナースメニュー画面において、「看護室確認」ボタンがクリックされると（Ｓ３０８）、第４１図に示すような看護室確認画面が表示され（Ｓ３６０）、看護室が選択され、「設定」ボタンがクリックされると（Ｓ３６２）、接続先テーブル１２２の選択された看護室にナース端末アドレスが設定され（Ｓ３６４）、看護室に入室中の各患者端末の映像および音声が取得されて表示されるとともに、各患者端末の診察センサ情報が取得されて表示される（Ｓ３６６）。
各患者のセンサ表示部には、「自動」ボタンと「手動」ボタンが備えられ、「自動」ボタンがクリックされると診察センサによる測定が一定周期で自動的に行われ、「手動」ボタンがクリックされると自動測定が解除されてオンデマンドによる測定が行われる。
看護室確認画面において、特定の患者映像がクリックされると、そのクリック位置が取得され、表示されている各患者端末の座標と比較することにより呼出先の患者端末が選択され（Ｓ３６８）、患者呼出処理が実行される（Ｓ３７０）。これにより、後述のナースコール受付時と同様に、個別対話画面（図示省略）が表示され、接続先テーブルの個別対話室に当該患者端末の端末アドレスとナース端末の端末アドレスが設定されて、当該患者とナースとの間で映像および音声による対話が可能となる。個別対話画面において「急患通知」ボタンがクリックされると、担当医の医師端末に通報され、当該患者の容態急変等に対応することができる。
看護室確認画面には「一斉放送」ボタンが備えられ、これがクリックされると（Ｓ３８２）、各患者端末に対して音声送信が開始され（Ｓ３８４）、クリックが解除されたら（Ｓ３８６）、各患者端末に対する音声送信が終了される（Ｓ３８８）。これにより、看護室に入室中の全患者に対して一斉に通報することができる。尚、ここでは一斉放送は音声による通報のみとしたが、各患者端末にナース端末の映像を送信して表示するようにしてもよい。
看護室確認画面において、「戻る」ボタンがクリックされると（Ｓ３９２）、接続先テーブル１２２の看護室からナース端末アドレスが削除され（Ｓ３９２）、Ｓ３０４のナースメニュー画面に戻る。
ナースメニュー画面において、患者端末からのナースコール通知を受付ると（Ｓ３１０）、第４２図に示すようなナースコール受付画面が表示され（Ｓ４００）、接続先テーブル１２２の個別対話室にナース端末の端末アドレスと当該患者端末の端末アドレスが設定され（Ｓ４０２）、患者端末の診察センサ情報が取得されて表示される（Ｓ４０４）。これにより、ナースは当該患者との間で映像および音声による対話が可能となるとともに、当該患者の診察センサ情報を確認でき、当該患者に対して適切な処置を施すことができる。
ナースコール画面において、「急患通知」ボタンがクリックされると（Ｓ４０６）、担当医の医師端末に対して急患が通知される（Ｓ４０８）。これに対して、当該医師端末において急患通知に設けられた「患者確認」ボタンがクリックされると、後述の医師側処理により当該患者端末と当該医師端末とが接続され、当該担当医は当該患者の映像および音声ならびに診察センサ情報を確認することができる。
ナースコール画面において、「切断」ボタンがクリックされると（Ｓ４１０）、接続先テーブル１２２の個別対話室からナース端末と当該患者端末の端末アドレスが削除され（Ｓ４１２）、Ｓ３０４のナースメニュー画面に戻る。
ナースメニュー画面において、医師からの呼出通知を受付けると（Ｓ３１２）、個別対話画面（図示省略）が表示され（Ｓ４２０）、接続先テーブル１２２の個別対話室にナース端末の端末アドレスと当該医師端末の端末アドレスが設定される（Ｓ４２２）。これにより、ナースと医師の間で映像および音声による対話が可能となる。個別対話画面において「切断」ボタンがクリックされると（Ｓ４２４）、接続先テーブル１２２の個別対話室からナース端末と当該医師端末の端末アドレスが削除され（Ｓ４２６）、Ｓ３０４のナースメニュー画面に戻る。
第１８図から第２３図に、受付サーバ１１０における医師側処理の処理フローの例を示す。医師が医師端末から所定アドレスにアクセスすると、医師ログイン画面（図示省略）が表示される（Ｓ５００）。医師ログイン画面において、あらかじめ与えられた医師ＩＤとパスワードが入力され、「ログイン」ボタンがクリックされると（Ｓ５０２）、第４３図に示すような医師メニュー画面が表示される（Ｓ５０４）。
医師メニュー画面において、「診察室入室」がクリックされると（Ｓ５０６）、診察受付テーブルから当該医師が担当する診察室の診察受付情報が取得され（Ｓ５２０）、第４４図に示すような診察画面（医師側）が表示される（Ｓ５２０）。診察画面（医師側）には、診察中の患者映像を表示する患者映像表示部と、診察中の患者端末の診察センサ情報を表示するセンサ情報表示部と、選択された患者のカルテを表示する患者カルテ表示部と、当該医師が使用する診察室における診察受付情報を表示する診察受付情報表示部等を備えている。
診察受付情報表示部においては、当日の診察患者が通院患者と在宅患者とが混在させて受付順に表示され、ステータス欄には既に診察を終えた患者は「終了」、診察中の患者は「診察中」と表示される。
診察受付情報表示部において、特定の患者のＩＤ表示がクリックされ、患者が選択されると（Ｓ５２４）、当該患者の患者カルテが検索されて、患者カルテ表示部に表示される（Ｓ５２６）。
診察画面（医師側）右上の「入室通知」ボタンがクリックされると（Ｓ５２８）、患者カルテが表示されている患者端末に対して診察案内通知が送信される（Ｓ５３０）。通知を受けた患者端末において「応答」ボタンがクリックされると（Ｓ５３２）、接続先テーブル１２２の診察室に当該患者端末の端末アドレスが設定され（Ｓ５３４）、当該患者端末の診察センサ情報が取得されて表示される（Ｓ５３６）。
診察画面（医師側）において、特定の患者の診察中に「診察終了」ボタンがクリックされると（Ｓ５３８）、接続先セーブル１２２の診察室から当該患者端末の端末アドレスが削除され（Ｓ５４０）、当該患者の診察が終了する。
診察画面（医師側）において「カルテ記入」ボタンがクリックされると（Ｓ５４２）、現在開いている患者カルテに医師が入力した入力情報が取得されて記録される（Ｓ５４４）。
診察画面（医師側）において「戻る」ボタンがクリックされると（Ｓ５４６）、Ｓ５０４の医師メニュー画面に戻る。
医師メニュー画面において「看護室確認」ボタンがクリックされると（Ｓ５０８）、第４１図と同様の看護室確認画面が表示され（Ｓ５５０）、看護室が選択され、「設定」ボタンがクリックされると（Ｓ５５２）、接続先テーブル１２２の指定看護室に当該医師端末の端末アドレスが設定され（Ｓ５５４）、看護室に入室している各患者端末の映像および音声が取得されて表示されとともに、各患者端末の診察センサ情報が取得されて表示される（Ｓ５５６）。
各患者のセンサ表示部には、「自動」ボタンと「手動」ボタンが備えられ、「自動」ボタンがクリックされると診察センサによる測定が一定周期で自動的に行われ、「手動」ボタンがクリックされると自動測定は解除されてオンデマンドによる測定が行われる。
看護室確認画面において、特定の患者映像がクリックされると、そのクリック位置が取得され、表示されている各患者端末の座標と比較することにより呼出先の患者端末が選択され（Ｓ５５８）、患者呼出処理が実行される（Ｓ５６０）。これにより、前述のナース側処理と同様に、個別対話画面が表示され、接続先テーブルの個別対話室に当該患者端末の端末アドレスと当該端末の端末アドレスが設定されて、当該患者と当該医師との間で映像および音声による対話が可能となる。
看護室確認画面には「一斉放送」ボタンが備えられ、これがクリックされると（Ｓ５６８）、各患者端末に対して音声送信が開始され（Ｓ５７０）、クリックが解除されたら（Ｓ５７２）、各患者端末に対する音声送信が終了される（Ｓ５７４）。これにより、看護室に入室中の全患者に対して一斉に通報することができる。尚、ここでは一斉放送は音声による通報のみとしたが、各患者端末に医師端末の映像を送信して表示するようにしてもよい。
看護室確認画面において、「戻る」ボタンがクリックされると（Ｓ５７６）、接続先テーブル１２２の看護室から医師端末アドレスが削除され（Ｓ５７８）、Ｓ５０４の医師メニュー画面に戻る。
医師メニュー画面において、ナース端末から急患通知を受付けると（Ｓ５１０）、個別対話画面（図示省略）が表示され（Ｓ５８０）、接続先テーブル１２２の個別対話室に医師端末の端末アドレスと通知を受けた患者端末の端末アドレスが設定され（Ｓ５８２）、患者端末の診察センサ情報が取得されて表示される（Ｓ５８４）。これにより、担当医は当該患者との間で映像および音声による対話が可能となるとともに、当該患者の診察センサ情報を確認でき、当該患者に対する適切な処置を施すことができる。
個別対話画面において、「切断」ボタンがクリックされると（Ｓ５８６）、接続先テーブル１２２の個別対話室から当該医師端末と当該患者端末の端末アドレスが削除され（Ｓ５９０）、Ｓ５０４の医師メニュー画面に戻る。
医師メニュー画面において、「投薬確認」ボタンがクリックされると（Ｓ５１２）、投薬受付テーブルから当該担当医の投薬受付情報が取得され（Ｓ６００）、第４７図に示すような投薬処理画面が表示される（Ｓ６００）。投薬処理画面において、特定の患者ＩＤがクリックされ、患者が選択されると（Ｓ６０４）、当該患者の患者カルテが取得されて表示される（Ｓ６０６）。担当医によって当該患者の投薬内容が確認され、「許可」ボタンがクリックされると（Ｓ６０８）、入力された医師コメントが取得され（Ｓ６０９）、薬局端末に処方箋が通知される（Ｓ６１０）。また、患者カルテに投薬情報が記録され（Ｓ６１２）、当該患者端末に投薬完了通知が送信される（Ｓ６１４）。担当医によって「不許可」ボタンがクリックされると（Ｓ６１６）、入力された医師コメントが取得され（Ｓ６１８）、当該患者端末に対して不許可理由通知が送信される（Ｓ６２２）。
投薬処理画面において、「戻る」ボタンがクリックされると（Ｓ６２４）、Ｓ５０４の医師メニュー画面に戻る。
医師メニュー画面において、「相談確認」ボタンがクリックされると（Ｓ５１４）、相談受付テーブルから当該担当医の相談受付情報が取得され（Ｓ６３０）、第４５図に示すような相談処理画面が表示される（Ｓ６３２）。相談処理画面には、患者ＩＤ、患者名、相談日時、相談内容が表示され、担当医は相談内容を読み、必要に応じて患者ＩＤをクリックして当該患者の患者カルテを参照しながら
当該相談に回答することができる。
相談処理画面において、「送信」ボタンがクリックされると（Ｓ６３４）、入力された回答が取得され（Ｓ６３６）、当該回答が患者カルテに記録され（Ｓ６３８）、第４６図に示すような相談回答メールが生成されて、当該患者に対してメール配信される（Ｓ６４０）。
相談処理画面において、「次へ」ボタンがクリックされると（Ｓ６４２）、次の相談受付患者の情報が取得されて表示され（Ｓ６４４）、「前へ」ボタンがクリックされると（Ｓ６４６）、前の相談受付患者の情報が取得されて表示される（Ｓ６４４）。これにより、担当医は登録されているすべての相談内容を確認して回答することができる。
相談処理画面において、「戻る」ボタンがクリックされると（Ｓ６５０）、Ｓ５０４の医師メニュー画面に戻る。
また、上記医師側処理の処理フローでは省略したが、医師メニュー画面には「ナース呼出」ボタンが備えられ、このボタンがクリックされると、個別対話画面が表示され、接続先テーブル１２２の個別対話室に当該医師端末の端末アドレスとナース端末の端末アドレスが設定されて、当該医師とナース間で対話することができる。
上記実施形態では、在宅診察患者を通院患者や入院患者と混在させて取り扱うものとして説明したが、本願発明はこれに限定されるものではなく、在宅患者を専門に取り扱うサイバー病院であってもよい。
上記実施形態では、受付サーバや通信サーバは病院内に備えるものとして説明したが、本願発明はこれに限定されるものではなく、病院とは別のサイトに受付サーバと通信サーバとを設け、ネットワークを介して本願発明の在宅診察サービスを提供するようにしてもよい。
また、医師端末やナース端末は必ずしも病院に備える必要はなく、医師やナースがネットワークを介して在宅医療サービスをていきょうするものであってもよい。
上記実施形態では、運営管理サーバは受付サーバとは独立に備えるものとして説明したが、受付サーバに病院の運営管理データベースを備え、病院の運営管理機能を持たせるようにしてもよいことは言うまでもない。
上記実施形態では、医師端末やナース端末や待合室端末は、診察科目とは関係なく存在するものとして説明したが、大規模な病院ではこれらの端末を診察科目別に備え、患者が選択した診察科目に対応して選択されるようにすることが好ましい。
上記実施形態では、単一のナース端末を備える場合について説明したが、これはナース端末をナースセンターのような所に設置して、要看護者が入室する仮想の看護室を病院の病室の巡回と同様に定期的に看視することを想定したからであるが、例えばナースセンターに大画面のナース端末を備えるとともに、各診察室に個別のナース端末を備え、仮想の看護室の監視はナースセンターのナース端末で行い、医師の診察の補助は各診察室のナース端末で行うようにしてもよい。
上記実施形態では、ナースコールは患者端末に表示される場面に設けられた「ナースコール」ボタンをクリックすることと、患者端末に接続されるナースコールボタンを押すことのいずれでも行えるようにしているが、いずれか一方のみでもよいことは言うまでもない。
上記実施形態では、仮想の看護室は、ナース端末および／または医師端末から要求されたときに、看護室に入室中の患者端末の映像および音声ならびに診察センサ情報をナース端末および／または医師端末に送信するものとして説明したが、看護室に入室中の患者端末の映像および音声ならびに診察センサ情報の一部または全部を常時特定の端末に送信して表示するようにしてもよい。例えば、ナースセンターに看護室看視用の専用端末を設け、看護室に入室中の患者端末の映像および音声ならびに診察センサ情報の一部または全部を常時表示するようにすれば、要看護者の容態の変化を迅速に把握することが可能となる。
この場合、端末において看護室に入室中の患者端末から送信される各診察センサの信号レベルを監視し、あらかじめ設定された警報レベルを超えたときに、端末に警報表示をするようにしてもよい。これにより、端末において看護室に入室中の患者端末の映像を常時監視していなくても、患者の容態変化に対応できる。
また、患者端末において各診察センサの信号レベルを監視する機能を設け、あらかじめナース端末又は医師端末から設定された警報レベルを超えたときに、ナースコールを通報するようにしてもよい。これにより、患者が診察センサを装着している限り、容態の変化が自動検知されて通報されるので、患者がナースコールボタンを押すことができない場合にも対応でき、在宅患者はより安心して在宅診察サービスを受けることができる。
上記実施形態では、仮想の待合室や仮想の看護室の画面に表示されている患者端末の呼出処理は、クリック位置を取得して表示されている各患者端末の座標と比較することにより呼出先の患者端末を選択するとして説明したが、患者端末の映像表示の際にクリック位置と対応する患者端末の関係を記述するマップを生成し、クリッカブルマップにより呼出処理を行うようにしてもよい。
上記実施形態では、在宅診察患者の診察報酬の課金処理については説明を省略しているが、本システムでは通常の外来診療と同様にすべての診療行為をカルテによって処理しているので、通常の点数処理と同様の処理によって在宅患者の医療費の精算を行うことができる。
また、更に本在宅診察システムを金融機関と接続することにより、医療費の自動引落し処理を行うようにしてもよい。
【産業上の利用可能性】  以上述べたように、本願発明によれば患者端末が医師端末と接続されていない場合でも患者の容態の急変等に対応でき、医師の負担を増大することなく病気に対する不安や孤独感を解消可能とし、実際に病院に行ったときに近い環境で在宅診察サービスを提供できる等の効果がある。
【図１】
2004092991.tif 000003
【図２】
2004092991.tif 000004
【図３】
2004092991.tif 000005
【図４】
2004092991.tif 000006
【図５】
2004092991.tif 000007
【図６】
2004092991.tif 000008
【図７】
2004092991.tif 000009
【図８】
2004092991.tif 000010
【図９】
2004092991.tif 000011
【図１０】
2004092991.tif 000012
【図１１】
2004092991.tif 000013
【図１２】
2004092991.tif 000014
【図１３】
2004092991.tif 000015
【図１４】
2004092991.tif 000016
【図１５】
2004092991.tif 000017
【図１６】
2004092991.tif 000018
【図１７】
2004092991.tif 000019
【図１８】
2004092991.tif 000020
【図１９】
2004092991.tif 000021
【図２０】
2004092991.tif 000022
【図２１】
2004092991.tif 000023
【図２２】
2004092991.tif 000024
【図２３】
2004092991.tif 000025
【図２４】
2004092991.tif 000026
【図２５】
2004092991.tif 000027
【図２６】
2004092991.tif 000028
【図２７】
2004092991.tif 000029
【図２８】
2004092991.tif 000030
【図２９】
2004092991.tif 000031
【図３０】
2004092991.tif 000032
【図３１】
2004092991.tif 000033
【図３２】
2004092991.tif 000034
【図３３】
2004092991.tif 000035
【図３４】
2004092991.tif 000036
【図３５】
2004092991.tif 000037
【図３６】
2004092991.tif 000038
【図３７】
2004092991.tif 000039
【図３８】
2004092991.tif 000040
【図３９】
2004092991.tif 000041
【図４０】
2004092991.tif 000042
【図４１】
2004092991.tif 000043
【図４２】
2004092991.tif 000044
【図４３】
2004092991.tif 000045
【図４４】
2004092991.tif 000046
【図４５】
2004092991.tif 000047
【図４６】
2004092991.tif 000048
【図４７】
2004092991.tif 000049
【手続補正書】
【提出日】平成17年2月8日(2005.2.8)
【手続補正００１】
【補正対象書類名】特許請求の範囲
【補正対象項目名】全文
【補正方法】変更
【補正の内容】
【書類名】特許請求の範囲
【請求項１】テレビ電話機能を有し、在宅患者が使用する患者端末から診察要求を受付ける機能と、前記診察要求を受付けられた患者端末をテレビ電話機能を有する医師端末と接続する機能とを有する受付サーバと、前記接続された患者端末と医師端末との間で映像及び音声による双方向の通信サービスを提供する機能を有する通信サーバとを備えた在宅診察システムであって、
前記通信サーバは、容態の変化を監視する必要のある患者や一人暮らしの患者や寝たきりの患者等の要看護者が使用する患者端末が接続され、テレビ電話機能を有するナース端末または医師端末から状況確認できる仮想の看護室を設定する機能を有し、
前記受付サーバは、要看護者が使用する患者端末からの要求により、当該患者端末を前記設定された仮想の看護室に接続する機能と、テレビ電話機能を有するナース端末または医師端末からの要求により、当該要求元の端末を前記設定された仮想の看護室に接続する機能とを有し、
前記通信サーバは、前記設定された仮想の看護室に接続されている各患者端末から送信された少なくとも映像を受信して要求元の端末において一覧表示されるように合成する機能と、前記合成された少なくとも映像を前記要求元の端末に送信する機能とを有し、
前記受付サーバは、前記要求元の端末においてポインティングデバイスにより指定された画面上の位置に基づいて前記設定された仮想の看護室に接続されている患者端末を選択する機能と、前記選択された患者端末と前記要求元の端末とを個別に接続する機能とを有し、
前記通信サーバは、前記接続された患者端末と要求元の端末との間で映像及び音声による双方向の通信サービスを提供する機能を有することを特徴とする、在宅診察システム。
【請求項２】テレビ電話機能を有し、在宅患者が使用する患者端末から診察要求を受付ける機能と、前記診察要求を受付けられた患者端末をテレビ電話機能を有する医師端末と接続する機能とを有する受付サーバと、前記接続された患者端末と医師端末との間で映像及び音声による双方向の通信サービスを提供する機能を有する通信サーバとを備えた在宅診察システムであって、
前記通信サーバは、容態の変化を監視する必要のある患者や一人暮らしの患者や寝たきりの患者等の要看護者が使用する患者端末が接続され、テレビ電話機能を有するナース端末または医師端末から状況確認できる仮想の看護室を設定する機能を有し、
前記受付サーバは、要看護者が使用する患者端末からの要求により、当該患者端末を前記設定された仮想の看護室に接続する機能と、テレビ電話機能を有するナース端末または医師端末からの要求により、当該要求元の端末を前記設定された仮想の看護室に接続する機能とを有し、
前記通信サーバは、前記設定された仮想の看護室に接続されている各患者端末から送信された少なくとも映像を受信して要求元の端末に送信する機能を有し、
前記要求元の端末は、前記設定された仮想の看護室に接続されている各患者端末から送信された少なくとも映像を受信して一覧表示する機能を有し、
前記要求元の端末は、ポインティングデバイスにより指定された画面上の位置に基づいて前記設定された仮想の看護室に接続されている患者端末を選択する機能を有し、
前記受付サーバは、前記要求元の端末において選択された患者端末と前記要求元の端末とを個別に接続する機能を有し、
前記通信サーバは、前記接続された患者端末と要求元の端末との間で映像及び音声による双方向の通信サービスを提供する機能を有することを特徴とする、在宅診察システム。
【請求項３】前記患者端末は、患者の診察に必要な情報を収集する診察センサを備え、前記診察センサの情報を取得して前記通信サーバに送信する機能を有し、
前記通信サーバは、前記設定された仮想の看護室に接続されている各患者端末から送信された診察センサの情報を受信して、前記合成された映像の各患者端末の映像に対応させて合成する機能を有することを特徴とする、請求項１に記載の在宅診察システム。
【請求項４】前記患者端末は、患者の診察に必要な情報を収集する診察センサを備え、前記診察センサの情報を取得して前記通信サーバに送信する機能を有し、
前記通信サーバは、前記設定された仮想の看護室に接続されている各患者端末から送信された診察センサの情報を受信して前記要求元の端末に送信する機能を有し、
前記要求元の端末は、前記送信された診察センサの情報を受信して前記表示された各患者端末の映像に対応させて表示する機能を有することを特徴とする、請求項２に記載の在宅診察システム。
【請求項５】前記受付サーバは、前記設定された仮想の看護室に接続された患者端末から送信中断要求を受付ける機能を有し、
前記通信サーバは、前記送信中断要求を受付けられた患者端末の映像及び音声の送信を中断する機能を有することを特徴とする、請求項１ないし請求項４のいずれかに記載の在宅診察システム。
【請求項６】前記受付サーバは、前記要求元の端末から一斉放送要求を受付ける機能を有し、
前記通信サーバは、前記一斉要求を受付けられた要求元の端末から送信された少なくとも音声を受信して前記設定された仮想の看護室に接続されている各患者端末に対して一斉送信する機能を有することを特徴とする、請求項１ないし請求項５のいずれかに記載の在宅診察システム。
【請求項７】前記通信サーバは、診察要求を受付けられた患者端末が多地点接続される仮想の待合室を設定する機能を有し、
前記受付サーバは、前記診察要求を受付けられた患者端末を前記設定された仮想の待合室に接続する機能を有し、
前記通信サーバは、前記接続されている患者端末間で多地点接続による双方向通信サービスを提供する機能を有し、
前記設定された仮想の待合室に接続されている呼出元の患者端末においてポインティングデバイスにより指定された画面上の位置から前記設定された仮想の待合室に接続されている呼出先の患者端末を選択する機能と、前記選択された呼出先の患者端末と前記呼出元の患者端末とを個別に接続する機能とを有し、
前記通信サーバは、前記接続された呼出先の患者端末と呼出元の患者端末との間で映像及び音声による通信サービスを提供する機能を有することを特徴とする、請求項１ないし請求項６のいずれかに記載の在宅診察システム。
【請求項８】前記受付サーバは、病院の待合室に備えられたテレビ電話機能を有する待合室端末を前記設定された仮想の待合室に接続する機能を有することを特徴とする、請求項７に記載の在宅診察システム。
【請求項９】前記受付サーバは、前記診察要求を受付けられた患者のリストをテレビ電話機能を有するナース端末に提示する機能と、前記ナース端末において提示された患者のリストから選択された患者が使用する患者端末と当該ナース端末とを個別に接続する機能とを有し、
前記通信サーバは、前記接続された患者端末とナース端末との間で映像及び音声による双方向の通信サービスを提供する機能を有することを特徴とする、請求項１ないし請求項８のいずれかに記載の在宅診察システム。
【請求項１０】前記受付サーバは、前記患者端末からナースコールを受付ける機能と、前記受付けられたナースコールをテレビ電話機能を有するナース端末に通知する機能と、前記ナースコールを受付けられた患者端末と前記ナースコールを通知されたナース端末とを自動接続する機能とを有し、
前記通信サーバは、前記接続された患者端末とナース端末との間で映像及び音声による双方向の通信サービスを提供する機能を有することを特徴とする、請求項１ないし請求項９のいずれかに記載の在宅診察システム。
【請求項１１】前記患者端末は、前記受付サーバに対してナースコールを発信するナースコールボタンを備え、前記ナースコールボタンが押されたときに前記受付サーバに対して自動的にログインしてナースコールを発信する機能を有するものであることを特徴とする、請求項１０に記載の在宅診察システム。
【請求項１２】前記受付サーバは、前記ナースコールを通知されたナース端末から急患通知を受付ける機能と、前記受付けられた急患通知を前記ナースコールを受付けられた患者の担当医が使用する医師端末に通知する機能と、前記ナースコールを受付けられた患者端末と前記急患通知が通知された医師端末とを自動接続する機能とを有し、
前記通信サーバは、前記接続された患者端末と医師端末との間で映像及び音声による双方向の通信サービスを提供する機能を有することを特徴とする、請求項１０または請求項１１に記載の在宅診察システム。
【請求項１３】前記受付サーバは、前記患者端末から投薬要求を受付ける機能と、前記投薬要求を受付けられた患者の担当医が使用する医師端末に対して投薬確認を問合せる機能と、前記投薬確認の問合せに対して前記医師端末が発行する処方箋を薬剤の宅配サービスを行う薬局が使用する薬局端末に配信する機能とを有することを特徴とする、請求項１ないし請求項１２のいずれかに記載の在宅診察システム。
【請求項１４】前記受付サーバは、前記患者端末から相談要求を受付ける機能と、前記相談要求を受付けられた患者端末から相談文を受信する機能と、前記受信された相談文を担当医の前記医師端末に送信する機能と、前記送信された相談文に対する前記医師端末からの回答文を受信する機能と、前記受信された回答文を前記相談要求を受付けられた患者端末に送信する機能とを有することを特徴とする、請求項１ないし請求項１３のいずれかに記載の在宅診察システム。
【請求項１５】前記受付サーバは、前記患者端末から通院の予約を受付ける機能を有することを特徴とする、請求項１ないし請求項１４のいずれかに記載の在宅診察システム。
【請求項１６】テレビ電話機能を有し、在宅患者が使用する患者端末から診察要求を受付けるステップと、前記診察要求を受付けられた患者端末をテレビ電話機能を有する医師端末と接続するステップとを有する受付ステップと、前記接続された患者端末と医師端末との間で映像及び音声による双方向の通信サービスを提供するステップを有する通信ステップとを備えた在宅診察方法であって、
前記通信ステップは、容態の変化を監視する必要のある患者や一人暮らしの患者や寝たきりの患者等の要看護者が使用する患者端末が接続され、テレビ電話機能を有するナース端末または医師端末から状況確認できる仮想の看護室を設定するステップを有し、
前記受付ステップは、要看護者が使用する患者端末からの要求により、当該患者端末を前記設定された仮想の看護室に接続するステップと、テレビ電話機能を有するナース端末または医師端末からの要求により、当該要求元の端末を前記設定された仮想の看護室に接続するステップとを有し、
前記通信ステップは、前記設定された仮想の看護室に接続されている各患者端末から送信された少なくとも映像を受信して要求元の端末において一覧表示されるように合成するステップと、前記合成された少なくとも映像を前記要求元の端末に送信するステップとを有し、
前記受付ステップは、前記要求元の端末においてポインティングデバイスにより指定された画面上の位置に基づいて前記設定された仮想の看護室に接続されている患者端末を選択するステップと、前記選択された患者端末と前記要求元の端末とを個別に接続するステップとを有し、
前記通信ステップは、前記接続された患者端末と要求元の端末との間で映像及び音声による双方向の通信サービスを提供するステップを有することを特徴とする、在宅診察方法。
【請求項１７】テレビ電話機能を有し、在宅患者が使用する患者端末から診察要求を受付けるステップと、前記診察要求を受付けられた患者端末をテレビ電話機能を有する医師端末と接続するステップとを有する受付ステップと、前記接続された患者端末と医師端末との間で映像及び音声による双方向の通信サービスを提供するステップを有する通信ステップとを備えた在宅診察方法であって、
前記通信ステップは、容態の変化を監視する必要のある患者や一人暮らしの患者や寝たきりの患者等の要看護者が使用する患者端末が接続され、テレビ電話機能を有するナース端末または医師端末から状況確認できる仮想の看護室を設定するステップを有し、
前記受付ステップは、要看護者が使用する患者端末からの要求により、当該患者端末を前記設定された仮想の看護室に接続するステップと、テレビ電話機能を有するナース端末または医師端末からの要求により、当該要求元の端末を前記設定された仮想の看護室に接続するステップとを有し、
前記通信ステップは、前記設定された仮想の看護室に接続されている各患者端末から送信された少なくとも映像を受信して要求元の端末に送信するステップを有し、
前記要求元の端末は、前記設定された仮想の看護室に接続されている各患者端末から送信された少なくとも映像を受信して一覧表示するステップを有し、
前記要求元の端末は、ポインティングデバイスにより指定された画面上の位置に基づいて前記設定された仮想の看護室に接続されている患者端末を選択するステップを有し、
前記受付ステップは、前記要求元の端末において選択された患者端末と前記要求元の端末とを個別に接続するステップを有し、
前記通信ステップは、前記接続された患者端末と要求元の端末との間で映像及び音声による双方向の通信サービスを提供するステップを有することを特徴とする、在宅診察方法。
【請求項１８】前記患者端末は、患者の診察に必要な情報を収集する診察センサを備え、前記診察センサの情報を取得して前記通信ステップに送信するステップを有し、
前記通信ステップは、前記設定された仮想の看護室に接続されている各患者端末から送信された診察センサの情報を受信して、前記合成された映像の各患者端末の映像に対応させて合成するステップを有することを特徴とする、請求項１６に記載の在宅診察システム。
【請求項１９】前記患者端末は、患者の診察に必要な情報を収集する診察センサを備え、前記診察センサの情報を取得して前記通信ステップに送信するステップを有し、
前記通信ステップは、前記設定された仮想の看護室に接続されている各患者端末から送信された診察センサの情報を受信して前記要求元の端末に送信するステップを有し、
前記要求元の端末は、前記設定された仮想の看護室に接続されている各患者端末から送信された診察センサの情報を受信して前記表示された各患者端末の映像に対応させて表示するステップを有することを特徴とする、請求項１７に記載の在宅診察方法。
【請求項２０】前記通信ステップは、診察要求を受付けられた患者端末が多地点接続される仮想の待合室を設定するステップを有し、
前記受付ステップは、前記診察要求を受付けられた患者端末を前記設定された仮想の待合室に接続するステップを有し、
前記通信ステップは、前記接続されている患者端末間で多地点接続による双方向通信サービスを提供するステップを有し、
前記設定された仮想の待合室に接続されている呼出元の患者端末においてポインティングデバイスにより指定された画面上の位置から前記仮想の待合室に接続されている呼出先の患者端末を選択するステップと、前記選択された呼出先の患者端末と前記呼出元の患者端末とを個別に接続するステップとを有し、
前記通信ステップは、前記接続された呼出先の患者端末と呼出元の患者端末との間で映像及び音声による通信サービスを提供するステップを有することを特徴とする、請求項１６ないし請求項１９のいずれかに記載の在宅診察方法。
【請求項２１】前記受付ステップは、前記診察要求を受付けられた患者のリストをテレビ電話機能を有するナース端末に提示するステップと、前記ナース端末において提示された患者のリストから選択された患者が使用する患者端末と当該ナース端末とを個別に接続するステップとを有し、
前記接続された患者端末とナース端末との間で映像及び音声による双方向の通信サービスを提供するステップを有することを特徴とする、請求項１６ないし請求項２０のいずれかに記載の在宅診察方法。
【請求項２２】前記受付ステップは、前記患者端末からナースコールを受付けるステップと、前記受付けられたナースコールを前記ナース端末に通知するステップと、前記ナースコールを受付けられた患者端末と前記ナースコールを通知されたナース端末とを自動接続するステップとを有し、
前記通信ステップは、前記接続された患者端末とナース端末との間で映像及び音声による双方向の通信サービスを提供するステップを有することを特徴とする、請求項１６ないし請求項２１のいずれかに記載の在宅診察方法。
【請求項２３】前記受付ステップは、前記ナースコールを通知されたナース端末から急患通知を受付けるステップと、前記受付けられた急患通知を前記ナースコールを受付けられた患者の担当医が使用する医師端末に通知するステップと、前記ナースコールを受付けられた患者端末と前記急患通知が通知された医師端末とを自動接続するステップとを有し、
前記通信ステップは、前記接続された患者端末と医師端末との間で映像及び音声による双方向の通信サービスを提供するステップを有することを特徴とする、請求項２２に記載の在宅診察システム。
【請求項２４】請求項１６ないし請求項２３のいずれかに記載の在宅診察方法をコンピュータで実行させるための、在宅診察プログラム。


【手続補正００２】
【補正対象書類名】明細書
【補正対象項目名】０００２
【補正方法】変更
【補正の内容】
【０００２】
ることが可能である。
また、このような在宅診察システムの普及により、患者は診察を受ける自由度が飛躍的に拡大するので、近年問題になっている小児患者等のたらい回しによる事故の防止等にも寄与する。
しかしながら、かかる従来の在宅診察システムでは、患者端末は医師の診察を受けるとき以外は医師端末と切断状態にあり、患者は医師端末から診察のためのアクセスがあるまでじっと待機していなければならず、その間に患者の容態が急変しても対応できないという問題があった。
また、実際に病院に行けば待合室にいる患者同士でお互いに声をかけあって情報交換したり、ナースに相談したりすることで病気に対する不安や孤独感を解消することができるが、在宅診察では医師端末と接続して対話する以外は、患者同士で情報交換したり、ナースに相談したりするこができず、病気に対する不安や孤独感を抱えながら日々を過ごさなければならないという問題があった。
このようなことは、特に１人暮しの老人や寝たきりの患者にとっては深刻な問題であった。
それゆえに、本願発明の主たる目的は、患者端末が医師端末と接続されていない場合でも患者の容態の急変等に対応でき、医師の負担を増大することなく病気に対する不安や孤独感を解消可能とし、実際に病院に行ったときに近い環境で在宅診察サービスを提供できるようにすることである。
【発明の開示】
この発明の在宅診察システムは、テレビ電話機能を有する患者端末とテレビ電話機能を有する医師端末とを通信回線を介して接続して在宅診察サービスを提供するシステムであって、患者端末からの診察要
【手続補正００３】
【補正対象書類名】明細書
【補正対象項目名】０００３
【補正方法】変更
【補正の内容】
【０００３】
求を受付ける受付サーバと、診察要求を受付けられた患者端末と医師端末とを接続して、映像及び音声による双方向の通信機能を提供する通信サーバとを備え、通信サーバは患者端末間で映像及び音声による対話サービスを提供する仮想の待合室を設定する機能を有し、受付サーバは診察要求を受付けられた患者端末を設定された仮想の待合室に接続する機能を有するものである。
これにより、受付サーバは診察要求を受付けられた患者端末を通信サーバに設定された仮想の待合室に接続し、通信サーバは仮想の待合室に接続された患者端末相互間でテレビ電話による対話サービスを提供するので、患者端末が医師端末と接続されて医師による診察を受けるまでの間に患者に容態の急変等があっても仮想の待合室に接続中の他の患者のアシストを受けることができ、仮想の待合室に接続中の患者同士が情報交換することで病気に対する不安や孤独感を解消することができ、実際に病院に行ったときに近い環境で在宅診察サービスを提供できる。
この発明の在宅診察システムは、通信サーバは病院の待合室に備えられたテレビ電話機能を有する待合室端末を設定された仮想の待合室に接続する機能を有するものである。
これにより、通信サーバは仮想の待合室に接続された患者端末と病院の待合室に備えられた待合室端末との間でテレビ電話による対話サービスを提供するので、患者端末が医師端末と接続されて医師による診察を受けるまでの間に患者に容態の急変等があっても病院の待合室にいる患者等のアシストを受けることができ、患者は病院の待合室にいる患者等と情報交換することで病気に対する不安や孤独感を解消することができ、より実際に病院に行ったときに近い環境で在宅診察サービスを提供できる。
【手続補正００４】
【補正対象書類名】明細書
【補正対象項目名】０００４
【補正方法】変更
【補正の内容】
【０００４】
この発明の在宅診察システムは、受付サーバは送信された仮想の待合室に接続されている呼出元の端末においてポインティングデバイスにより指定された画面上の位置から仮想の待合室に接続されている呼出先の端末を選択する機能を有し、通信サーバは呼出元の端末と呼出先の端末とを個別に接続して映像及び音声による対話サービスを提供する機能を有するものである。
これにより、受付サーバは呼出元の端末においてポインティングデバイスにより指定された呼出先の患者端末を選択し、通信サーバは呼出元の端末と呼出先の端末との間でテレビ電話による個別対話サービスを提供するので、特定の患者とプライベートな相談を行うことも可能となり、より実際に病院に行ったときに近い環境で在宅診察サービスを提供できる。
この発明の在宅診察システムは、受付サーバは患者端末からのナースコールを受付けてテレビ電話機能を有するナース端末に通知する機能を有し、通信サーバはナースコールを受付けられた患者端末と通知されたナース端末とを接続して映像及び音声による対話サービスを提供する機能を有するものである。
これにより、受付サーバは患者端末からのナースコールを受付けてナース端末に通知し、通信サーバはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
この発明の在宅診察システムは、
【手続補正００５】
【補正対象書類名】明細書
【補正対象項目名】０００５
【補正方法】変更
【補正の内容】
【０００５】
患者端末は受付サーバに対してナースコールを発信するナースコールボタンを備え、ナースコールボタンが押されたときに受付サーバに対して自動的にログインしてナースコールを発信する機能を有するものである。
これにより、患者端末に備えられたナースコールボタンを押すことで受付サーバに自動的にログインできるので、ログイン前に容態の急変があった場合でもログイン手続を経ることなくナース端末を呼出すことができ、緊急の場合でも迅速に在宅診察サービスを提供できる。
この発明の在宅診察システムは、通信サーバは要看護者が使用する患者端末が接続される仮想の看護室を設定する機能を有し、受付サーバは患者端末または医師端末またはナース端末からの要求により要看護者が使用する患者端末を仮想の看護室に接続する機能を有し、通信サーバは、医師端末および／またはナース端末からの要求により仮想の看護室に接続されている各患者端末の映像及び音声を医師端末および／またはナース端末に送信する機能を有するものである。
これにより、受付サーバは患者端末または医師端末またはナース端末からの要求により要看護者の患者端末を通信サーバにより設定された仮想の看護室に接続し、通信サーバは医師端末および／またはナース端末からの要求により仮想の看護室に接続されている各患者端末の映像及び音声を送信するので、例えば容態の急変等を看視する必要のある在宅患者を医師端末および／またはナース端末から定期的に見廻ることができ、より実際に病院に入院したときに近い環境で在宅診察サービスを提供できる。
この発明の在宅診察システムは、受付サーバは医師端末および／またはナース端末にお
【手続補正００６】
【補正対象書類名】明細書
【補正対象項目名】０００６
【補正方法】変更
【補正の内容】
【０００６】
いてポインティングデバイスにより指定された画面上の位置から仮想の看護室に接続されている患者端末を選択する機能を有し、通信サーバは医師端末および／またはナース端末と選択された患者端末とを個別に接続して映像及び音声による対話サービスを提供する機能を有するものである。
これにより、受付サーバは医師および／またはナースは端末においてポインティグデバイスにより指定された患者端末を選択し、通信サーバは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
この発明の在宅診察システムは、患者端末は患者の診察に必要な情報を収集する診察センサを備え、診察センサの情報を取得して通信サーバに送信する機能を有するものであって、通信サーバは送信された診察センサの情報を受信して医師端末および／またはナース端末に送信する機能を有し、医師端末および／またはナース端末は送信された診察センサの情報を受信して表示する機能を有するものである。
これにより、医師端末および／またはナース端末において患者端末に備えられた診察センサの情報を確認できるので、在宅患者の病状をより的確に把握でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サー
【手続補正００７】
【補正対象書類名】明細書
【補正対象項目名】０００７
【補正方法】変更
【補正の内容】
【０００７】
ビス時に遠隔で測定するようにしてもよい。
この発明の在宅診察システムは、患者端末は診察センサの信号の一部又は全部を音声信号として送信する機能を有するものである。
これにより、例えば聴診器のように医師等がセンサで抽出された音を直接耳で聞くことにより診察するセンサについては、センサ信号を患者端末からテレビ電話の音声信号として送信することで、医師端末においてセンサ信号を通話用のヘッドセット等により直接聞くことができ、より実際に病院に行ったときに近い環境で在宅診察サービスを提供できる。
この発明の在宅診察システムは、テレビ電話機能を有する患者端末とテレビ電話機能を有する医師端末とを通信回線を介して接続して在宅診察サービスを提供するシステムであって、患者端末からの診察要求を受付ける受付サーバと、診察要求を受付けられた患者端末と医師端末とを接続して、映像及び音声による双方向の通信機能を提供する通信サーバとを備え、通信サーバは要看護者が使用する患者端末が接続される仮想の看護室を設定する機能を有し、受付サーバは患者端末または医師端末またはテレビ電話機能を有するナース端末からの要求により要看護者が使用する患者端末を仮想の看護室に接続する機能を有し、通信サーバは医師端末および／またはナース端末からの要求により仮想の看護室に接続されている各患者端末の映像及び音声を医師端末および／またはナース端末に送信する機能を有するものである。
これにより、受付サーバは患者端末または医師端末またはナース端末からの要求により要看護者の患者端末を通信サーバにより設定された仮想の看護室に接続し、通信サーバは医師端末および／またはナース端末からの要求により仮想の看護室に接続されている各患者端末の映像及び音声を送信するので、例えば容態の急変等を看視する必要のある在宅患
【手続補正００８】
【補正対象書類名】明細書
【補正対象項目名】０００８
【補正方法】変更
【補正の内容】
【０００８】
者を医師端末および／またはナース端末から定期的に見廻ることができ、実際に病院に入院したときに近い環境で在宅診察サービスを提供できる。
この発明の在宅診察システムは、受付サーバは医師端末および／またはナース端末においてポインティングデバイスにより指定された画面上の位置から仮想の看護室に接続されている患者端末を選択する機能を有し、通信サーバは医師端末および／またはナース端末と選択された患者端末とを個別に接続して映像及び音声による対話サービスを提供する機能を有するものである。
これにより、受付サーバは医師および／またはナースは端末においてポインティングデバイスにより指定された患者端末を選択し、通信サーバは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
この発明の在宅診察システムは、受付サーバは患者端末からのナースコールを受付けてナース端末に通知する機能を有し、通信サーバはナースコールを受付けられた患者端末と通知されたナース端末とを接続して映像及び音声による対話サービスを提供する機能を有するものである。
これにより、受付サーバは患者端末からのナースコールを受付けてナース端末に通知し、通信サーバはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に
【手続補正００９】
【補正対象書類名】明細書
【補正対象項目名】０００９
【補正方法】変更
【補正の内容】
【０００９】
病院に行ったときに近い環境で在宅診察サービスを提供できる。
この発明の在宅診察システムは、患者端末は受付サーバに対してナースコールを発信するナースコールボタンを備え、ナースコールボタンが押されたときに受付サーバに対して自動的にログインしてナースコールを発信する機能を有するものである。
これにより、患者端末に備えられたナースコールボタンを押すことで受付サーバに自動的にログインできるので、ログイン前に容態の急変があった場合でもログイン手続を経ることなくナース端末を呼出すことができ、緊急の場合でも迅速に在宅診察サービスを提供できる。
この発明の在宅診察システムは、患者端末は患者の診察に必要な情報を収集する診察センサを備え、診察センサの情報を取得して通信サーバに送信する機能を有し、通信サーバは送信された診察センサの情報を受信して医師端末および／またはナース端末に送信する機能を有し、医師端末および／またはナース端末は送信された診察センサの情報を受信して表示する機能を有するものである。
これにより、医師端末および／またはナース端末において患者端末に備えられた診察センサの情報を確認できるので、在宅患者の病状をより的確に把握でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
【手続補正０１０】
【補正対象書類名】明細書
【補正対象項目名】００１０
【補正方法】変更
【補正の内容】
【００１０】
この発明の在宅診察システムは、患者端末は診察センサの信号の一部又は全部を音声信号として送信する機能を有するものである。
これにより、例えば聴診器のように医師等がセンサで抽出された音を直接耳で聞くことにより診察するセンサについては、センサ信号を患者端末からテレビ電話の音声信号として送信することで、医師端末においてセンサ信号を通話用のヘッドセット等により直接聞くことができ、より実際に病院に行ったときに近い環境で在宅診察サービスを提供できる。
この発明の在宅診察システムは、テレビ電話機能を有する患者端末とテレビ電話機能を有する医師端末とを通信回線を介して接続して在宅診察サービスを提供するシステムであって、患者端末からの診察要求を受付ける受付サーバと、診察要求を受付けられた患者端末と医師端末とを接続して、映像及び音声による双方向の通信機能を提供する通信サーバとを備え、受付サーバは患者端末からのナースコールを受付けてテレビ電話機能を有するナース端末に通知する機能を有し、通信サーバはナースコールを受付けられた患者端末と通知されたナース端末とを接続して映像及び音声による対話サービスを提供する機能を有するものである。
これにより、受付サーバは患者端末からのナースコールを受付けてナース端末に通知し、通信サーバはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、実際に病院に行ったときに近い環境で在宅診察サービスを提供できる。
この発明の在宅診察システムは、患者端末は受付サーバに対してナースコールを発信するナースコールボタンを備え、ナースコールボタンが押されたときに受付サーバに対して自動的にログインしてナースコールを発
【手続補正０１１】
【補正対象書類名】明細書
【補正対象項目名】００１１
【補正方法】変更
【補正の内容】
【００１１】
信する機能を有するものである。
これにより、患者端末に備えられたナースコールボタンを押すことで受付サーバに自動的にログインできるので、ログイン前に容態の急変があった場合でもログイン手続を経ることなくナース端末を呼出すことができ、緊急の場合でも迅速に在宅診察サービスを提供できる。
この発明の在宅診察システムは、受付サーバは患者端末から投薬の要求を受付ける機能と、投薬の要求を受付けられた患者の担当医が使用する医師端末に対して投薬確認を問合せる機能と、問合せに対して医師端末が発行する処方箋を薬剤の宅配サービスを行う薬局が使用する薬局端末に配信する機能とを有するものである。
これにより、患者は病院に行くことなく在宅で担当医に投薬を申し込むことができ、宅配サービスにより薬剤を受け取ることができる。
この発明の在宅診察システムは、受付サーバは患者端末から相談の要求を受付ける機能と、相談の要求を受付けられた患者端末から相談文を受信する機能と、受信された相談文を担当医の医師端末に送信する機能と、送信された相談文に対する医師端末からの回答文を受信する機能と、受信された回答文を相談の要求を受付けられた患者端末に送信する機能とを有するものである。
これにより、患者は病院に行くことなく在宅で担当医に医療に関する相談を申し込むことができ、在宅患者は医師に大きな負担をかけることなく病気に対する不安を解消したり、治療の相談等を行うことができる。
この発明の在宅診察システムは、
【手続補正０１２】
【補正対象書類名】明細書
【補正対象項目名】００１２
【補正方法】変更
【補正の内容】
【００１２】
受付サーバは患者端末から通院の予約を受付ける機能を有するものである。
これにより、患者は病院に行くことなく在宅で通院の予約を行うことができ、病院での待ち合わせ時間を最小限として効率的に担当医の診察を受けることができる。
この発明の在宅診察方法は、テレビ電話機能を有する患者端末とテレビ電話機能を有する医師端末とを通信回線を介して接続して在宅診察サービスを提供する方法であって、患者端末からの診察要求を受付けるステップと、診察要求を受付けられた患者端末と医師端末とを接続して映像及び音声による双方向の通信機能を提供するステップとを備え、映像及び音声の双方向の通信を行うステップは受付けられた患者端末間で映像及び音声による対話サービスを提供する仮想の待合室を設定するステップを有し、診察要求を受付けるステップは診察要求を受付けられた患者端末を設定された仮想の待合室に接続するステップを有するものである。
これにより、診察要求を受付けるステップは診察要求を受付けられた患者端末を映像及び音声の双方向の通信を行うステップにおいて設定された仮想の待合室に接続し、映像及び音声の双方向の通信を行うステップは仮想の待合室に接続された患者端末相互間でテレビ電話による対話サービスを提供するので、患者端末が医師端末と接続されて医師による診察を受けるまでの間に患者に容態の急変等があっても仮想の待合室に接続中の他の患者のアシストを受けることができ、仮想の待合室に接続中の患者同士で情報交換することで病気に対する不安や孤独感を解消することができ、実際に病院に行ったときに近い環境で在宅診察サービスを提供できる。
この発明の在宅診察方法は、
【手続補正０１３】
【補正対象書類名】明細書
【補正対象項目名】００１３
【補正方法】変更
【補正の内容】
【００１３】
映像及び音声の双方向の通信を行うステップは病院の待合室に備えられた待合室端末を設定された仮想の待合室に接続するステップを有するものである。
これにより、映像及び音声の双方向の通信を行うステップは仮想の待合室に接続された患者端末と病院の待合室に備えられた待合室端末との間でテレビ電話による対話サービスを提供するので、患者端末が医師端末と接続されて医師による診察を受けるまでの間に患者に容態の急変等があっても病院の待合室にいる患者等のアシストを受けることができ、患者は病院の待合室にいる患者等と情報交換することで病気に対する不安や孤独感を解消することができ、より実際に病院に行ったときに近い環境で在宅診察サービスを提供できる。
この発明の在宅診察方法は、診察要求を受付けるステップは仮想の待合室に接続されている呼出元の端末においてポインティングデバイスにより指定された画面上の位置から仮想の待合室に接続されている呼出先の端末を選択するステップを有し、映像及び音声の双方向の通信を行うステップは呼出元の端末と呼出先の端末とを個別に接続して映像及び音声による対話サービスを提供するステップを有するものである。
これにより、診察要求を受付けるステップは呼出元の端末においてポインティングデバイスにより指定された呼出先の患者端末を選択し、映像及び音声の双方向の通信を行うステップは呼出元の端末と呼出先の端末との間でテレビ電話による個別対話サービスを提供するので、特定の患者とプライベートな相談を行うことも可能となり、より実際に病院に行ったときに近い環境で在宅診察サービスを提供できる。
この発明の在宅診察方法は、診察要求を受付けるステップ
【手続補正０１４】
【補正対象書類名】明細書
【補正対象項目名】００１４
【補正方法】変更
【補正の内容】
【００１４】
は患者端末からのナースコールを受付けてテレビ電話機能を有するナース端末に通知するステップを有し、映像及び音声の双方向の通信を行うステップはナースコールを受付けられた患者端末と通知されたナース端末とを接続して映像及び音声による対話サービスを提供するステップを有するものである。
これにより、診察要求を受付けるステップは患者端末からのナースコールを受付けてナース端末に通知し、映像及び音声の双方向の通信を行うステップはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
この発明の在宅診察方法は、映像及び音声の双方向の通信を行うステップは要看護者が使用する患者端末が接続される仮想の看護室を設定するステップを有し、診察要求を受付けるステップは患者端末または医師端末またはナース端末からの要求により要看護者が使用する患者端末を仮想の看護室に接続するステップを有し、映像及び音声の双方向の通信を行うステップは医師端末および／またはナース端末からの要求により仮想の看護室に接続されている各患者端末の映像及び音声を医師端末および／またはナース端末に配信するステップを有するものである。
これにより、診察要求を受付けるステップは患者端末または医師端末またはナース端末からの要求により要看護者の患者端末を映像及び音声の双方向の通信を行うステップにより設定された仮想の看護室に接続し、映像及び音声の双方向の通信を行うステップは医師端末および／またはナース端末からの要求により仮想の看護室に接続されている各患者端末
【手続補正０１５】
【補正対象書類名】明細書
【補正対象項目名】００１５
【補正方法】変更
【補正の内容】
【００１５】
の映像及び音声を送信するので、例えば容態の急変等を看視する必要のある在宅患者を医師端末および／またはナース端末から定期的に見廻ることができ、より実際に病院に入院したときに近い環境で在宅診察サービスを提供できる。
この発明の在宅診察方法は、診察要求を受付けるステップは医師端末および／またはナース端末においてポインティングデバイスにより指定された画面上の位置から仮想の看護室に接続されている患者端末を選択するステップを有し、映像及び音声の双方向の通信を行うステップは医師端末および／またはナース端末と選択された患者端末とを個別に接続して映像及び音声による対話サービスを提供するステップを有するものである。
これにより、診察要求を受付けるステップは医師および／またはナースは端末においてポインティングデバイスにより指定された患者端末を選択し、映像及び音声の双方向の通信を行うステップは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
この発明の在宅診察方法は、映像及び音声の双方向の通信を行うステップは患者端末に備えられた診察センサにより取得された情報を受信して医師端末および／またはナース端末に送信するステップを有するものである。
これにより、医師端末および／またはナース端末において患者端末に備えられた診察センサの情報を確認できるので、在宅患者の病状をより的確に診察でき、より実際に病院に行ったときに近い環境で在宅診察サ
【手続補正０１６】
【補正対象書類名】明細書
【補正対象項目名】００１６
【補正方法】変更
【補正の内容】
【００１６】
ービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
この発明の在宅診察方法は、テレビ電話機能を有する患者端末とテレビ電話機能を有する医師端末とを通信回線を介して接続して在宅診察サービスを提供する方法であって、患者端末からの診察要求を受付けるステップと、診察要求を受付けられた患者端末と医師端末とを接続して映像及び音声による双方向の通信機能を提供するステップとを備え、映像及び音声の双方向の通信を行うステップは要看護者が使用する患者端末が接続される仮想の看護室を設定するステップを有し、診察要求を受付けるステップは患者端末または医師端末またはテレビ電話機能を有するナース端末からの要求により要看護者が使用する患者端末を仮想の看護室に接続するステップを有し、映像及び音声の双方向の通信を行うステップは医師端末および／またはナース端末からの要求により仮想の看護室に接続されている患者端末の映像及び音声を合成して医師端末および／またはナース端末に配信するステップを有するものである。
これにより、診察要求を受付けるステップは患者端末または医師端末またはナース端末からの要求により要看護者の患者端末を映像及び音声の双方向の通信を行うステップにより設定された仮想の看護室に接続し、映像及び音声の双方向の通信を行うステップは医師端末および／またはナース端末からの要求により仮想の看護室に接続されている各患者端末の映像及び音声を送信するので、例えば容態の急変等を看視する必要のある在宅患者を医師端末および／またはナース端末から定期的に見廻る
【手続補正０１７】
【補正対象書類名】明細書
【補正対象項目名】００１７
【補正方法】変更
【補正の内容】
【００１７】
ことができ、より実際に病院に入院したときに近い環境で在宅診察サービスを提供できる。
この発明の在宅診察方法は、診察要求を受付けるステップは医師端末および／またはナース端末においてポインティングデバイスにより指定された画面上の位置から仮想の看護室に接続されている患者端末を選択するステップを有し、映像及び音声の双方向の通信を行うステップは医師端末および／またはナース端末と選択された患者端末とを個別に接続して映像及び音声による対話サービスを提供するステップを有するものである。
これにより、診察要求を受付けるステップは医師および／またはナースは端末においてポインティングデバイスにより指定された患者端末を選択し、映像及び音声の双方向の通信を行うステップは医師端末および／またはナース端末と選択された患者端末との間でテレビ電話による個別対話サービスを提供するので、医師および／またはナースは各患者の容態の急変等をより的確に把握でき、より実際に病院に行ったときに近い環境で在宅診察サービスを提供できる。
この発明の在宅診察方法は、診察要求を受付けるステップは患者端末からのナースコールを受付けてナース端末に通知するステップを有し、映像及び音声の双方向の通信を行うステップはナースコールを受付けられた患者端末と通知されたナース端末とを接続して映像及び音声による対話サービスを提供するステップを有するものである。
これにより、診察要求を受付けるステップは患者端末からのナースコールを受付けてナース端末に通知し、映像及び音声の双方向の通信を行うステップはナースコールを受付けられた患者端末と通知されたナース端末との間でテレビ電話による個別対話サービスを提供するので、在宅
【手続補正０１８】
【補正対象書類名】明細書
【補正対象項目名】００１８
【補正方法】変更
【補正の内容】
【００１８】
患者は容態の急変等があったときにナースに処置を依頼したり、病気に対する不安の相談等を行うことができ、より実際に病院に行ったときに近い環境で在宅診察サービスを提供できる。
この発明の在宅診察方法は、映像及び音声の双方向の通信を行うステップは患者端末に備えられた診察センサにより取得された情報を受信して医師端末および／またはナース端末に送信するステップを有するものである。
これにより、医師端末および／またはナース端末において患者端末に備えられた診察センサの情報を確認できるので、在宅患者の病状をより的確に診察でき、より実際に病院に行ったときに近い環境で在宅診察サービスを提供できる。
尚、診察センサとしては、例えば体温・心拍・血圧・酸素飽和度・心電図等を測定するバイタルセンサや、心音や呼吸音を音によって聴診する聴診器等ように患者自身がセンサヘッドを装着可能なものが好ましいが、事前に医師等が往診によってセンサヘッドを装着し、在宅診察サービス時に遠隔で測定するようにしてもよい。
この発明の在宅診察方法は、テレビ電話機能を有する患者端末とテレビ電話機能を有する医師端末とを通信回線を介して接続して在宅診察サービスを提供する方法であって、患者端末からの診察要求を受付けるステップと、診察要求を受付けられた患者端末と医師端末とを接続して映像及び音声による双方向の通信機能を提供するステップとを備え、診察要求を受付けるステップは患者端末からのナースコールを受付けてテレビ電話機能を有するナース端末に通知するステップを有し、映像及び音声の双方向の通信を行うステップはナースコールを受付けられた患者端末と通知されたナース端末とを接続して映像及び音声による対
【手続補正０１９】
【補正対象書類名】明細書
【補正対象項目名】００１９
【補正方法】変更
【補正の内容】
【００１９】
話サービスを提供するステップを有するものである。
これにより、診察要求を受付けるステップは患者端末からのナースコールを受付けてナース端末に通知し、映像及び音声の双方向の通信を行うステップはナースコールを受付けられた患者端末と通知されたナース端末との間でテレビ電話による個別対話サービスを提供するので、在宅患者は容態の急変等があったときにナースに処置を依頼したり、病気に対する不安の相談等を行うことができ、より実際に病院に行ったときに近い環境で在宅診察サービスを提供できる。
この発明の在宅診察方法は、診察要求を受付けるステップは患者端末から投薬の要求を受付けるステップと、投薬の要求を受付けられた患者の担当医が使用する医師端末に対して投薬確認を問合せるステップと、問合せに対して医師端末が発行する処方箋を薬剤の宅配サービスを行う薬局が使用する薬局端末に配信するステップとを有するものである。
これにより、患者は病院に行くことなく在宅で担当医に投薬を申し込むことができ、宅配サービスにより薬剤を受け取ることができる。
この発明の在宅診察方法は、診察要求を受付けるステップは患者端末から相談の要求を受付けるステップと、相談の要求を受付けられた患者端末から相談文を受信するステップと、受信された相談文を担当医の医師端末に送信するステップと、送信された相談文に対する医師端末からの回答文を受信するステップと、受信された回答文を相談の要求を受付けられた患者端末に送信するステップとを有するものである。
これにより、患者は病院に行くことなく在宅で担当医に医療に関する相談を申し込むことができ、在宅患者は医師に大きな負担をかけること
【手続補正０２０】
【補正対象書類名】明細書
【補正対象項目名】００２０
【補正方法】変更
【補正の内容】
【００２０】
なく病気に対する不安を解消したり、治療の相談等を行うことができる。
この発明の在宅診察方法は、診察要求を受付けるステップは患者端末から通院の予約を受付けるステップを有するものである。
これにより、患者は病院に行くことなく在宅で通院の予約を行うことができ、病院での待ち合わせ時間を最小限として効率的に担当医の診察を受けることができる。
この発明の在宅診察プログラムは、この発明の在宅診察方法をコンピュータで実行させるためのものである。
かかる在宅診察プログラムをコンピュータで実行させ、通信回線を介して患者端末と接続することにより、この発明の在宅診察方法が奏する作用効果と同様の作用効果を奏する。
本願発明の上述の目的，その他の目的，特徴および利点は、図面を参照して行う以下の発明の実施の形態の詳細な説明から一層明らかとなろう。
【図面の簡単な説明】
第１図は、本願発明の一実施形態にかかる在宅診察システムのシステム構成図である。
第２図は、本願発明の一実施形態にかかる在宅診察システムの通信サーバに備えられた接続先テーブルの設定例を示す図である。
第３図は、本願発明の一実施形態にかかる在宅診察システムの患者端末に備えられる診察センサの例を示す図である。
第４図は、本願発明の一実施形態にかかる在宅診察システムの受付サ
【国際調査報告】
2004092991.tif 000050
2004092991.tif 000051
2004092991.tif 000052